(57)【特許請求の範囲】
【請求項１】
ミニチュアカメラモジュールを含むモバイルデバイスのための補助光学装置アセンブリであって、
レンズホルダと、このレンズホルダに結合された補助レンズと、マイクロバヨネットカップリングインターフェースとを含む補助レンズアセンブリと、
補助レンズ装着インターフェースであって、前記モバイルデバイスの前記ミニチュアカメラモジュールに従って構成され、かつ、前記モバイルデバイスへ安定的に結合するように構成されると共に、前記補助光学装置アセンブリの前記マイクロバヨネットカップリングインターフェースに従って構成されて、前記モバイルデバイスの前記ミニチュアカメラモジュールの光路に沿って前記補助レンズに安定的に結合されて位置合わせされた補助レンズ装着インターフェースと、
前記補助レンズ装着インターフェースに画定されたフラッシュ開口であって、前記モバイルデバイスの前記ミニチュアカメラモジュールの光源が撮像すべき被写体を照明するように形状付けられたフラッシュ開口と、
前記補助レンズ装着インターフェースに画定されたカメラ開口であって、前記被写体から反射した光をデジタル画像として受け取り前記モバイルデバイスの前記ミニチュアカメラモジュールの内蔵画像センサへ前記光路に沿って進めるカメラ開口とを備え、
前記カメラ開口が長円形領域を含み、これは前記マイクロバヨネットカップリングインターフェースの長手寸法が前記カメラ開口の前記長円形領域の長手寸法と概ね平行なときに、第１の向きにある前記補助レンズアセンブリの前記マイクロバヨネットカップリングインターフェースを受け入れる寸法及び形状に構成され、前記マイクロバヨネットカップリングインターフェースの前記長手寸法が前記長円形領域との平行から相対的に回転して逸れたときに前記補助レンズアセンブリを回転自在に結合して前記ミニチュアカメラモジュールの前記光路に沿って安定的に位置合わせさせることにより、前記補助レンズ装着インターフェースの画像側に捕捉させ、前記補助レンズを前記補助レンズ装着インターフェースの被写体側に安定的に配置して前記モバイルデバイスの前記ミニチュアカメラモジュールと位置合わせさせる補助光学装置アセンブリ。
【請求項２】
請求項１の補助光学装置アセンブリにおいて、前記補助レンズアセンブリの前記マイクロバヨネットカップリングインターフェースは、バヨネットタブを含み、前記補助レンズ装着インターフェースは戻り止め部分を含み、この戻り止め部分はレンズ装着開口を少なくとも部分的に画定し、前記レンズ装着開口は前記補助レンズアセンブリの前記バヨネットタブに従って形状付けられ、前記モバイルデバイスの前記ミニチュアカメラモジュールの前記光路に沿って前記補助レンズを安定的に結合させて位置合わせさせる補助光学装置アセンブリ。
【請求項３】
請求項２の補助光学装置アセンブリにおいて、前記バヨネットタブは長円形状を含み、前記レンズ装着インターフェースは長円形を画定する前記戻り止めを含み、その長円形は前記バヨネットタブの長手寸法よりも短い短手寸法を有し、前記レンズ装着開口の前記長円形は第１の相対的な向きにおいて前記バヨネットタブにより貫通可能であり、一方、前記バヨネットタブは長円形レンズ装着開口内に安定的に結合する補助光学装置アセンブリ。
【請求項４】
請求項２の補助光学装置アセンブリにおいて、前記バヨネットタブは長方形状を含む補助光学装置アセンブリ。
【請求項５】
請求項２の補助光学装置アセンブリにおいて、前記カメラ開口は第１の面に配置され、前記戻り止めは第２の面の丸み付けられたキャビティに重なり、第２の面は前記光路に沿って第１の面から離間している補助光学装置アセンブリ。
【請求項６】
請求項１の補助光学装置アセンブリにおいて、前記カメラ開口は長円形補助レンズ装着領域とこのレンズ装着領域に隣接するフラッシュ部分とを含み、モバイルデバイスフラッシュからの光が撮像すべき被写体を照明する補助光学装置アセンブリ。
【請求項７】
請求項６の補助光学装置アセンブリにおいて、前記カメラ開口の前記レンズ装着領域は第１の面に画定され、この第１の面は前記フラッシュ部分が画定された第２の面よりも前記ミニチュアカメラモジュールの画像センサから更に離間されている補助光学装置アセンブリ。
【請求項８】
請求項６の補助光学装置アセンブリにおいて、前記レンズ装着領域が第１の面内に円形キャビティを画定し、前記戻り止めは第２の面内で前記円形キャビティに重なり、第２の面は前記光路に沿って第１の面から離間している補助光学装置アセンブリ。
【請求項９】
請求項１の補助光学装置アセンブリにおいて、前記補助レンズアセンブリのマイクロバヨネットカップリングインターフェースは、前記マイクロバヨネットカップリングインターフェースの中央領域から突出するタブを含む補助光学装置アセンブリ。
【請求項１０】
請求項１の補助光学装置アセンブリにおいて、前記補助レンズ装着インターフェースはモバイルデバイスケースを含み、これは前記モバイルデバイスの周囲を少なくとも部分的に包囲して保護し、かつ前記カメラ開口を画定するように構成されている補助光学装置アセンブリ。
【請求項１１】
請求項１０の補助光学装置アセンブリにおいて、前記補助レンズ装着インターフェースが前記ケースの材料に共通に成形されたインターフェースディーテイルを含む補助光学装置アセンブリ。
【請求項１２】
請求項１１の補助光学装置アセンブリにおいて、前記インターフェースディーテイルが型打ちされた金属からなる補助光学装置アセンブリ。
【請求項１３】
請求項１１の補助光学装置アセンブリにおいて、前記インターフェースディーテイルは前記マイクロバヨネットカップリングインターフェースを含む補助光学装置アセンブリ。
【請求項１４】
補助レンズ装着インターフェースを含むカメラ有効化モバイルデバイスのミニチュアカメラモジュールの光路に安定的に位置合わせされる補助レンズを結合するように構成された補助光学装置アセンブリであって、
補助レンズであり、レンズホルダが前記補助レンズに結合された補助レンズと、
マイクロバヨネットカップリングインターフェースであって、補助レンズ装着インターフェース結合するように構成され、その補助レンズ装着インターフェースはモバイルデバイスに結合されてカメラ開口を画定し、このカメラ開口は被写体から反射した光を前記モバイルデバイスのミニチュアカメラモジュールの光路に沿って内蔵画像センサへ進められるデジタル画像として受け取るように構成されたマイクロバヨネットカップリングインターフェースとを備え、
前記マイクロバヨネットカップリングインターフェースは長円形状を有し、これは第１の向きにおける前記カメラ開口の長円領域を通じて受け取られるように寸法付け及び形状付けされて、前記マイクロバヨネットカップリングインターフェースの長手軸は前記カメラ開口の前記長円領域の長手寸法と概ね平行であり、前記マイクロバヨネットカップリングインターフェースの前記長手軸が前記長円領域の前記長手寸法との平行から相対的に回転して逸れたときに、補助レンズアセンブリを回転自在に結合して前記ミニチュアカメラモジュールの前記光路に沿って安定的に位置合わせすることにより、前記補助レンズ装着インターフェースの画像側に捕捉させ、前記補助レンズは前記補助レンズ装着インターフェースの被写体側に安定的に配置され、前記モバイルデバイスの前記ミニチュアカメラモジュールと位置合わせされる補助光学装置アセンブリ。
【請求項１５】
ミニチュアカメラモジュールを含むモバイルデバイスの周りに結合される保護モバイルデバイスケースであって、
レンズ装着インターフェースであり、ケースハウジングを含み、このケースハウジングはカメラ有効化デバイスの周囲の少なくとも一部の周りと背面とに堅固に結合し、その中にレンズ装着開口を画定するように構成され、このレンズ装着開口は、デジタル画像として撮像すべき被写体からの光を前記モバイルデバイスの前記ミニチュアカメラモジュールの内蔵センサへ進めるように、かつ取り外し自在レンズを前記ミニチュアカメラモジュールと光学的に位置合わせされた安定的な結合を促進するよう形状付けられたレンズ装着インターフェースと、
電気回路であって、プロセッサを含み、このプロセッサはレンズ認識処理、選択的に事前撮影設定又は撮像後編集又はその組合わせによるソフトウェアアプリケーションによりプログラム可能である電気回路と、
前記ケース内に設置されたバッテリであって、デバイスバッテリが低いか又はパワーが無いとき又はその組合わせの際に前記ケースの前記電気回路に動力を供給するか又は前記モバイルデバイスへ動力を供給するバッテリとを備える保護モバイルデバイスケース。
【請求項１６】
請求項１５の保護モバイルデバイスケースにおいて、前記電気回路を有するプリント回路基板（ＰＣＢ）を備え、前記電気回路はそれに結合された前記プロセッサを含む保護モバイルデバイスケース。
【請求項１７】
請求項１５の保護モバイルデバイスケースにおいて、前記バッテリは前記デバイスバッテリが低いかパワーが無いときに前記モバイルデバイスへ動力を供給するように構成されている保護モバイルデバイスケース。
【請求項１８】
請求項１５の保護モバイルデバイスケースにおいて、前記レンズ装着インターフェースは、広角かつ望遠レンズタイプを含む複数のレンズタイプを備える取り外し可能レンズアセンブリと結合するように構成されている保護モバイルデバイスケース。
【請求項１９】
ミニチュアカメラモジュールを含むモバイルデバイスのための補助光学装置アセンブリであって、
レンズホルダと、このレンズホルダに結合されたレンズと、カップリングインターフェースとを含む補助レンズアセンブリと、
レンズ装着インターフェースであり、前記モバイルデバイスに結合するように構成され、デジタル画像として撮像されるべき被写体からの光を前記ミニチュアカメラモジュールの光路に沿って前記モバイルデバイスの前記ミニチュアカメラモジュールの内蔵画像センサへ進めると共に、前記補助レンズアセンブリを前記ミニチュアカメラモジュールと光学的に位置合わせするように安定的に結合させることを促進するように形状付けられたレンズ装着開口を画定するレンズ装着インターフェースとを備え、
前記レンズ装着インターフェースはモバイルデバイスケースを含み、これはモバイルデバイスの周りに結合し、前記ケースはプロセッサ及び電気回路を含み、この電気回路はレンズ認識処理、選択的事前撮影設定又は撮像後編集又はその組合わせに従うソフトウェアアプリケーションによりプログラム可能であり、
前記ケースは前記ケース内に設置されたバッテリを含み、このバッテリはデバイスバッテリが低いか又はパワーが無いか又はその組合わせの際に前記ケースの前記電気回路に動力を供給するか又は前記モバイルデバイスへ動力を供給する補助光学装置アセンブリ。
【請求項２０】
請求項１９の補助光学装置アセンブリにおいて、前記ケースは重量配分を含み、これは補助レンズ重量を前記補助レンズアセンブリとしての前記ケースの反対側における重いケース重量と平衡させる補助光学装置アセンブリ。
【請求項２１】
請求項１９の補助光学装置アセンブリにおいて、前記バッテリは、前記デバイスバッテリが低いか又はパワーが無いときに前記モバイルデバイスへ動力を供給するように構成されている補助光学装置アセンブリ。
【請求項２２】
請求項１９の補助光学装置アセンブリにおいて、前記レンズ装着インターフェースは、広角及び望遠レンズタイプを含む複数のレンズタイプからなる取り外し自在レンズアセンブリと結合するように構成されている補助光学装置アセンブリ。
【請求項２３】
ミニチュアカメラモジュールを含むモバイルデバイスのための補助光学装置アセンブリであって、
レンズホルダと、このレンズホルダに結合されたレンズと、カップリングインターフェースとを含む取り外し自在レンズアセンブリと、
前記モバイルデバイスの周囲の少なくとも一部に堅固に結合するように構成されたモバイルデバイスケースと、
レンズ装着インターフェースであって、前記モバイルデバイスに従って構成され、前記モバイルデバイスに堅固に結合するように構成され、前記取り外し自在レンズアセンブリの前記カップリングインターフェースに応じて前記ミニチュアカメラモジュールの光路に沿って取り外し自在レンズに堅固に結合及び位置合わせするように構成されたレンズ装着インターフェースとを備え、
前記モバイルデバイスケースはケースプロセッサと前記ケースに埋設された電気回路とを備え、これらは、前記ミニチュアカメラモジュールと堅固に結合されて光学的に位置合わせされた前記取り外し自在レンズの存在を検出するように構成され、
前記モバイルデバイスケースはその中にレンズ装着開口を画定するように構成され、このレンズ装着開口は、デジタル画像として撮像すべき被写体からの光を前記ミニチュアカメラモジュールの光路に沿って前記モバイルデバイスの前記ミニチュアカメラモジュールの内蔵画像センサへ進めると共に、補助レンズアセンブリを前記ミニチュアカメラモジュールと光学的に位置合わせするように安定的に結合させることを促進するように形状付けられている補助光学装置アセンブリ。
【請求項２４】
請求項２３の補助光学装置アセンブリにおいて、前記取り外し自在レンズアセンブリの前記カップリングインターフェースはバヨネットタブを含み、前記レンズ装着インターフェースは戻り止め部分を含み、これはレンズ装着キャビティを少なくとも部分的に画定し、このレンズ装着キャビティは、前記取り外し自在レンズアセンブリの前記バヨネットタブに応じて前記モバイルデバイスの前記ミニチュアカメラモジュールの前記光路に沿って前記取り外し自在レンズを堅固に結合させて位置合わせさせるように形状付けられている補助光学装置アセンブリ。
【請求項２５】
請求項２３の補助光学装置アセンブリにおいて、レンズ装着キャビティは第１の面に配置され、戻り止めは第２の面における丸み付けられたキャビティに重ね合わされ、第２の面は第１の面から前記光路に沿って離間している補助光学装置アセンブリ。
【請求項２６】
請求項２３の補助光学装置アセンブリにおいて、前記モバイルデバイスケースは前記レンズ装着インターフェースを前記ケースと一体的に備える補助光学装置アセンブリ。
【請求項２７】
請求項２３の補助光学装置アセンブリにおいて、前記レンズ装着インターフェースは前記ケースの材料中に成形されたインターフェースディーテイルを含む補助光学装置アセンブリ。
【請求項２８】
請求項２７の補助光学装置アセンブリにおいて、前記インターフェースディーテイルは型打ちされた金属を含む補助光学装置アセンブリ。
【請求項２９】
請求項２７の補助光学装置アセンブリにおいて、前記インターフェースディーテイルはマイクロバヨネットデザインを含む補助光学装置アセンブリ。
【発明の詳細な説明】
【背景技術】
【０００１】
優先権
本出願は米国特許出願第１４／６２４，５７３号（２０１５年２月１７日出願）の優先権を主張しており、その米国特許出願は米国仮特許出願第６２／１０８，５０６号（２０１５年１月２７日出願）の優先権を主張している。
【０００２】
アンドロイド、アップル、及びサムソンの電話を含む携帯電話などの組み込みデバイスには、しばしば小型カメラモジュールが装備されている。これらの小型カメラモジュールは、通常は単一の固定焦点レンズ及びイメージセンサのみを含む。これらのデバイスの或るものには、露光期間やフラッシュ設定など、撮像前のカメラ設定の選択肢が限られているソフトウェアアプリケーションがダウンロード若しくは又は保存されているものがあり、また或るものは、内蔵光学系の能力不足を補うように設計された限定的な撮像後編集能力を提供する。しかしながら、画像処理ソフトウェアは、デバイスから近すぎる又は遠すぎる被写体、又は許容し難い程度の焦点ボケを伴うことなく複数の被写体を捉えるようにより大きな被写界深度を必要とする複数の被写体を含む場面、或いは焦点ボケ又は過剰な動きに関連する被写体ブレを伴うことなく移動する被写体のある場面の実際の画像を提供することができず、他の画像化問題の中でも特に重要である。したがって、小型のカメラ対応組み込みデバイスの内蔵光学系を、１つ又は複数の追加のレンズ又は他の光学系で補えるようにすることが望ましい。
【０００３】
カメラモジュールを備えたモバイルスマートフォン用の補助レンズは、典型的には、スマートフォンにクリップされる。これらのクリップオンレンズは、カメラモジュールの光路に沿って直接スマートフォンに機械的応力を与え、歪みの原因となり、機械的にデバイスを脆弱化させ、撮像された画像の光学的品質を歪める可能性がある。クリップオンレンズも不安定であるスマートフォンの事前撮影設定を調整したり、画像を撮像したり、スマートフォンをバッグやポケットや卓上に一時的に保管しているときに側面に沿って移動してしまうことがよくある。補助レンズを組み込みカメラモジュールの光学系と安定的に位置合わせしてモバイルデバイスに取り付ける方式が望まれている。
【０００４】
スマートフォンは、様々な状況でデジタル画像を撮像するために使用される。過去には、カメラの扱いにくい性質と、複数の人物及びおそらく背景の建物又は他の物体を含む可能性のある場面全体を撮像するのに通常含まれるカメラ−被写体距離とのために、カメラを操作する人物は画像に存在することができなかった。幾つかの従来のカメラには、カメラオペレータが所定の時間に基づいて場面内に素早く入り込むことを可能にするための内蔵された遅延が含まれているか、又は場面に入る笑顔のカメラ操作者を画像撮像が待機する顔認識技術を使用する。何れにしても、人間の操作者が保持することなく、自発的に安定的に正確にカメラを配置し、画像を撮影することは困難である。今日では、スマートフォンや小型カメラモジュールを内蔵した他のモバイルデバイスでは、事前撮影画像の前方側ディスプレイが可能にされているため、「自撮り」がより一般的に可能になり、これらのモバイルデバイスは、典型的には、画像を撮像するときに片手で保持できるように充分に軽量である。それにもかかわらず、片手での画像撮像中にモバイルデバイスをより容易に取り扱い可能にすることが望ましい。
【図面の簡単な説明】
【０００５】
【図１】図１は、カメラ対応携帯電話の周りに結合されたケースと、ケース内に組み込まれた若しくはケースと一体的なレンズ装着インターフェースと、ケース内に包含されたレンズ認識センサ及びプロセッサと、及びレンズ装着インターフェースにて電話に取り付けられて、特定の実施形態によるモバイルカメラシステムの光学経路に沿って位置合わせされたレンズとを含むモバイルカメラシステムを概略的に示す。
【図２Ａ】図２Ａは、特定の実施形態によりレンズ装着インターフェースに結合されたレンズを概略的に示し、レンズ装着インターフェースはカメラ対応携帯電話用のケース内に組み込まれるか若しくは一体化されるように構成され、１つ又は複数のホール効果センサを使用して、取り付けられたレンズを検出及び／又は一意的に識別するように構成されている。例えば、各種類のレンズのレンズホルダーは、磁気要素の固有のパターンを含むことができる。
【図２Ｂ】図２Ｂは、図２Ａによるホール効果センサの電気的構成要素を含むケースの例を示す。レンズ装着インターフェースキャビティは、特定の実施形態によるモバイルカメラシステムの光路に沿って位置合わせされたレンズを収容するように、レンズ装着インターフェースを組み込み、安定化又は他の方法で結合するために、図２Ｂに示されるケースに画定される。
【図２Ｃ】図２Ｃは、図２Ａによるホール効果センサの電気的構成要素を含むケースの例を示す。レンズ装着インターフェースキャビティは、特定の実施形態によるモバイルカメラシステムの光路に沿って位置合わせされたレンズを収容するように、レンズ装着インターフェースを埋設し、安定化又は他の方法で結合するために、図２Ｃに示されるケースに画定される。
【図３Ａ】図３Ａは、特定の実施形態によりレンズ装着インターフェースに結合されたレンズを概略的に示し、レンズ装着インターフェースはカメラ対応携帯電話用のケース内に組み込まれるか若しくは一体化されるように構成され、誘導検知を用いて、取り付けられたレンズを検出及び／又は一意的に識別するように構成されている。
【図３Ｂ】図３Ｂは、特定の実施形態によりレンズ装着インターフェースに結合されたレンズを概略的に示し、レンズ装着インターフェースはカメラ対応携帯電話用のケース内に組み込まれるか若しくは一体化されるように構成され、誘導検知を用いて、取り付けられたレンズを検出及び／又は一意的に識別するように構成されている。
【図４】図４は、特定の実施形態によりレンズ装着インターフェースに結合されたレンズを概略的に示し、レンズ装着インターフェースはカメラ対応携帯電話用のケース内に組み込まれるか若しくは一体化されるように構成され、容量性検知を用いて、取り付けられたレンズを検出及び／又は一意的に識別するように構成されている。
【図５Ａ】図５Ａは、特定の実施形態によりレンズ装着インターフェースに結合されたレンズを概略的に示し、レンズ装着インターフェースはカメラ対応携帯電話用のケース内に組み込まれるか若しくは一体化されるように構成され、レンズ装着インターフェースにおけるレンズの取り付けの際に特有の電気回路の完成に基づいて、取り付けられたレンズを検出及び／又は一意的に識別するように構成されている。例えば、各種類のレンズのレンズホルダーは電気的接触の特有のパターンを含む。アナログ値は図５Ａの回路により測定可能である。
【図５Ｂ】図５Ｂは、特定の実施形態によりレンズ装着インターフェースに結合されたレンズを概略的に示し、レンズ装着インターフェースはカメラ対応携帯電話用のケース内に組み込まれるか若しくは一体化されるように構成され、レンズ装着インターフェースにおけるレンズの取り付けの際に特有の電気回路の完成に基づいて、取り付けられたレンズを検出及び／又は一意的に識別するように構成されている。例えば、各種類のレンズのレンズホルダーは電気的接触の特有のパターンを含む。デジタル値は図５Ｂの回路により測定可能である。
【図６】図６は、特定の実施形態によりレンズ装着インターフェースに結合されたレンズを概略的に示し、レンズ装着インターフェースはカメラ対応携帯電話用のケース内に組み込まれるか若しくは一体化されるように構成され、レンズホルダーに一体的にされた集積回路に記憶された特有の認識番号の読み取りによって、取り付けられたレンズを検出及び／又は一意的に識別するように構成されている。
【図７】図７は、特定の実施形態によりレンズ装着インターフェースに結合されたレンズを概略的に示し、レンズ装着インターフェースはカメラ対応携帯電話用のケース内に組み込まれるか若しくは一体化されるように構成され、組み込まれた特有のタグを読み取る近距離通信又は無線周波数識別を用いて、取り付けられたレンズを検出及び／又は一意的に識別するように構成されている。
【図８】図８は、特定の実施形態によりカメラ対応携帯電話用のケース内に組み込まれるか若しくは一体的にされるように構成されたレンズ装着インターフェースに結合されたレンズを概略的に示しており、レンズ装着インターフェースは、レンズがレンズ装着インターフェースに現在結合されているか否かを検出するように構成されている。例えば、レンズ装着インターフェースは、レンズが取り付けられたときに回路を閉止するマイクロバヨネット又は他の突起を有するレンズを収容するように構成されてもよい。
【図９】図９は、特定の実施形態によりカメラ対応携帯電話用のケース内に組み込まれるか若しくは一体的にされるように構成されたレンズ装着インターフェースに結合されたレンズを概略的に示しており、レンズ装着インターフェースは、このレンズ装着インターフェースに結合されたレンズを検出して一意的に識別するように構成されている。例えば、レンズ装着インターフェースは、特定の実施形態によれば、レンズを収容するように、各種類のレンズに特有の戻り止め機構を有するマイクロバヨネット又は他の突起を有するように構成されてもよい。例えば、各種類のレンズに特有の戻り止め機構は、どの種類のレンズがレンズ装着インターフェースに取り付けられているかに応じて異なる電圧又は電流が測定されるように独自の回路を完成することができる。
【図１０】図１０は、特定の実施形態によりカメラ対応携帯電話又は他の組み込み機器と結合するように構成されたケースの例の分解図である。
【図１１Ａ】図１１Ａは、特定の実施形態による共成型されたレンズ装着インターフェースの例を概略的に示す。
【図１１Ｂ】図１１Ｂは、特定の実施形態による共成型されたレンズ装着インターフェースの例を概略的に示す。
【図１１Ｃ】図１１Ｃは、特定の実施形態による共成型されたレンズ装着インターフェースの例を概略的に示す。
【図１１Ｄ】図１１Ｄは、特定の実施形態によるレンズ装着インターフェースのさらなる例の上面図を概略的に示す。
【図１１Ｅ】図１１Ｅは、特定の実施形態によるレンズ装着インターフェースのさらなる例の底面図を概略的に示す。
【図１１Ｆ】図１１Ｆは、特定の実施形態によるレンズ装着インターフェースのさらなる例の側面図を概略的に示す。
【図１１Ｇ】図１１Ｇは、特定の実施形態によるレンズ装着インターフェースのさらなる例の斜視図を概略的に示す。
【図１１Ｈ】図１１Ｈは、特定の実施形態による機能的なモバイルデバイスのケースの図１１Ｄ−図１１Ｇによるレンズ装着インターフェースで安定的に結合するように設計された補助レンズホルダーの図を概略的に示す。
【図１１Ｉ】図１１Ｉは、特定の実施形態による機能的なモバイルデバイスのケースの図１１Ｄ−図１１Ｇによるレンズ装着インターフェースで安定的に結合するように設計された補助レンズホルダーの図を概略的に示す。
【図１１Ｊ】図１１Ｊは、特定の実施形態による機能的なモバイルデバイスのケースの図１１Ｄ−図１１Ｇによるレンズ装着インターフェースで安定的に結合するように設計された補助レンズホルダーの図を概略的に示す。
【図１１Ｋ】図１１Ｋは、特定の実施形態による機能的なモバイルデバイスのケースの図１１Ｄ−図１１Ｇによるレンズ装着インターフェースで安定的に結合するように設計された補助レンズホルダーの図を概略的に示す。
【図１１Ｌ】図１１Ｌは、特定の実施形態による機能的なモバイルデバイスのケースの図１１Ｄ−図１１Ｇによるレンズ装着インターフェースで安定的に結合するように設計された補助レンズホルダーの図を概略的に示す。
【図１１Ｍ】図１１Ｍは、特定の実施形態による機能的なモバイルデバイスのケースの図１１Ｄ−図１１Ｇによるレンズ装着インターフェースで安定的に結合するように設計された補助レンズホルダーの図を概略的に示す。
【図１１Ｎ】図１１Ｎは、特定の実施形態による機能的なモバイルデバイスのケースの図１１Ｄ−図１１Ｇによるレンズ装着インターフェースで安定的に結合するように設計された補助レンズホルダーの図を概略的に示す。
【図１１Ｏ】図１１Ｏは、特定の実施形態による機能的なモバイルデバイスのケースの図１１Ｄ−図１１Ｇによるレンズ装着インターフェースで安定的に結合するように設計された補助レンズホルダーの図を概略的に示す。
【図１１Ｐ】図１１Ｐは、特定の実施形態による機能的なモバイルデバイスのケースの図１１Ｄ−図１１Ｇによるレンズ装着インターフェースで安定的に結合するように設計された補助レンズホルダーの図を概略的に示す。
【図１１Ｑ】図１１Ｑは、特定の実施形態による機能的なモバイルデバイスのケースの図１１Ｄ−図１１Ｇによるレンズ装着インターフェースで安定的に結合するように設計された補助レンズホルダーの図を概略的に示す。
【図１１Ｒ】図１１Ｒは、特定の実施形態による機能的なモバイルデバイスのケースの図１１Ｄ−図１１Ｇによるレンズ装着インターフェースで安定的に結合するように設計された補助レンズホルダーの図を概略的に示す。
【図１１Ｓ】図１１Ｓは、特定の実施形態による機能的なモバイルデバイスのケースの図１１Ｄ−図１１Ｇによるレンズ装着インターフェースで安定的に結合するように設計された補助レンズホルダーの図を概略的に示す。
【図１１Ｔ】図１１Ｔは、特定の実施形態による機能的なモバイルデバイスのケースの図１１Ｄ−図１１Ｇによるレンズ装着インターフェースで安定的に結合するように設計された補助レンズホルダーの図を概略的に示す。
【図１２Ａ】図１２Ａは、特定の実施形態による携帯電話又は他の埋設型デバイスと結合するためのケースの例を概略的に示す。
【図１２Ｂ】図１２Ｂは、特定の実施形態による携帯電話又は他の埋設型デバイスと結合するためのケースの例を概略的に示す。
【図１２Ｃ】図１２Ｃは、特定の実施形態による携帯電話又は他の埋設型デバイスと結合するためのケースの例を概略的に示す。
【図１２Ｄ】図１２Ｄは、特定の実施形態による携帯電話又は他の埋設型デバイスと結合するためのケースの例を概略的に示す。
【図１３Ａ】図１３Ａは、特定の実施形態によるレンズ装着インターフェースの一例を概略的に示す。
【図１３Ｂ】図１３Ｂは、特定の実施形態によるレンズ装着インターフェースの一例を概略的に示す。
【図１３Ｃ】図１３Ｃは、特定の実施形態によるレンズ装着インターフェースの一例を概略的に示す。
【図１４】図１４は、特定の実施形態による例示的なカメラ対応モバイルデバイスケース及びレンズ装着インターフェースの断面図を概略的に示す。
【図１５Ａ】図１５Ａは、特定の実施形態によるカメラ対応モバイルデバイスケースの例を概略的に示す。
【図１５Ｂ】図１５Ｂは、特定の実施形態によるカメラ対応モバイルデバイスケースの例を概略的に示す。
【図１５Ｃ】図１５Ｃは、特定の実施形態によるカメラ対応モバイルデバイスケースの例を概略的に示す。
【図１５Ｄ】図１５Ｄは、特定の実施形態によるカメラ対応モバイルデバイスケースの例を概略的に示す。
【図１５Ｅ】図１５Ｅは、特定の実施形態によるカメラ対応モバイルデバイスケースの例を概略的に示す。
【図１５Ｆ】図１５Ｆは、特定の実施形態によるカメラ対応モバイルデバイスケースの例を概略的に示す。
【図１５Ｇ】図１５Ｇは、特定の実施形態によるカメラ対応モバイルデバイスケースの例を概略的に示す。
【図１５Ｈ】図１５Ｈは、特定の実施形態による三脚アクセサリを概略的に示す。
【図１５Ｉ】図１５Ｉは、特定の実施形態によるモバイルデバイスのケースと取り付け可能な補助レンズとの間の無線通信機能を概略的に示す。
【図１５Ｊ】図１５Ｊは、特定の実施形態によるカメラストラップアタッチメントを概略的に示す。
【図１５Ｋ】図１５Ｋは、特定の実施形態による強化された画像撮像能力のために、据え付けられたカメラモジュールと、取り付けられた補助レンズと、カメラスタイルのグリップとを含むモバイルデバイスの周りに結合された携帯電話ケースを概略的に示す。
【図１６Ａ】図１６Ａは、特定の実施形態によるケースの主ＰＣＢカバー部分の例を概略的に示す。
【図１６Ｂ】図１６Ｂは、特定の実施形態によるケースの主ＰＣＢカバー部分の例を概略的に示す。
【図１６Ｃ】図１６Ｃは、特定の実施形態によるケースの主ＰＣＢカバー部分の例を概略的に示す。
【図１６Ｄ】図１６Ｄは、特定の実施形態によるケースの主ＰＣＢカバー部分の例を概略的に示す。
【図１７Ａ】図１７Ａは、特定の実施形態によるカメラ対応モバイルデバイスケース用のシャッターボタンのための戻り止めスプリングを形成するように曲げられる前の金属部品を示す。
【図１７Ｂ】図１７Ｂは、特定の実施形態によるカメラ対応モバイルデバイスケースのためのシャッターボタンのための戻り止めスプリングを示す。
【図１７Ｃ】図１７Ｃは、特定の実施形態によるカメラ対応モバイルデバイスケースのためのシャッターボタンのための戻り止めスプリングを示す。
【図１７Ｄ】図１７Ｄは、特定の実施形態によるカメラ対応モバイルデバイスケースのためのシャッターボタンのための戻り止めスプリングを示す。
【図１７Ｅ】図１７Ｅは、特定の実施形態によるカメラ対応モバイルデバイスケースのためのシャッターボタンのための戻り止めスプリングを示す。
【図１７Ｆ】図１７Ｆは、特定の実施形態によるカメラ対応モバイルデバイスケースのためのシャッターボタンのための戻り止めスプリングを示す。
【図１８Ａ】図１８Ａは、特定の実施形態によるカメラ対応モバイルデバイス用シャッターボタンのための図１７Ｂ−図１７Ｆの戻り止めスプリングとともに使用するための戻り止めスプリングホルダを示す。
【図１８Ｂ】図１８Ｂは、特定の実施形態によるカメラ対応モバイルデバイス用シャッターボタンのための図１７Ｂ−図１７Ｆの戻り止めスプリングとともに使用するための戻り止めスプリングホルダを示す。
【図１８Ｃ】図１８Ｃは、特定の実施形態によるカメラ対応モバイルデバイス用シャッターボタンのための図１７Ｂ−図１７Ｆの戻り止めスプリングとともに使用するための戻り止めスプリングホルダを示す。
【図１８Ｄ】図１８Ｄは、特定の実施形態によるカメラ対応モバイルデバイス用シャッターボタンのための図１７Ｂ−図１７Ｆの戻り止めスプリングとともに使用するための戻り止めスプリングホルダを示す。
【図１８Ｅ】図１８Ｅは、特定の実施形態によるカメラ対応モバイルデバイス用シャッターボタンのための図１７Ｂ−図１７Ｆの戻り止めスプリングとともに使用するための戻り止めスプリングホルダを示す。
【図１８Ｆ】図１８Ｆは、特定の実施形態によるカメラ対応モバイルデバイス用シャッターボタンのための図１７Ｂ−図１７Ｆの戻り止めスプリングとともに使用するための戻り止めスプリングホルダを示す。
【図１９Ａ】図１９Ａは、特定の実施形態による、カメラ対応モバイルデバイスケース用のシャッターボタン機構アセンブリを概略的に示す。
【図１９Ｂ】図１９Ｂは、特定の実施形態による、カメラ対応モバイルデバイスケース用のシャッターボタン機構アセンブリを概略的に示す。
【図１９Ｃ】図１９Ｃは、特定の実施形態による、カメラ対応モバイルデバイスケース用のシャッターボタン機構アセンブリを概略的に示す。
【図１９Ｄ】図１９Ｄは、特定の実施形態による、カメラ対応モバイルデバイスケース用のシャッターボタン機構アセンブリを概略的に示す。
【図２０Ａ】図２０Ａは、特定の実施形態によるカメラ対応モバイルデバイスの場合のシャッターボタンを概略的に示す。
【図２０Ｂ】図２０Ｂは、特定の実施形態によるカメラ対応モバイルデバイスの場合のシャッターボタンを概略的に示す。
【図２０Ｃ】図２０Ｃは、特定の実施形態によるカメラ対応モバイルデバイスの場合のシャッターボタンを概略的に示す。
【図２０Ｄ】図２０Ｄは、特定の実施形態によるカメラ対応モバイルデバイスの場合のシャッターボタンを概略的に示す。
【図２０Ｅ】図２０Ｅは、特定の実施形態によるカメラ対応モバイルデバイスの場合のシャッターボタンを概略的に示す。
【図２０Ｆ】図２０Ｆは、特定の実施形態によるカメラ対応モバイルデバイスの場合のシャッターボタンを概略的に示す。
【図２０Ｇ】図２０Ｇは、特定の実施形態によるカメラ対応モバイルデバイスの場合のシャッターボタンを概略的に示す。
【図２１Ａ】図２１Ａは、特定の実施形態によるカメラ対応モバイルデバイスケースのシャッターボタン及びバネを取り付ける機構を概略的に示す。
【図２１Ｂ】図２１Ｂは、特定の実施形態によるカメラ対応モバイルデバイスケースのシャッターボタン及びバネを取り付ける機構を概略的に示す。
【図２１Ｃ】図２１Ｃは、特定の実施形態によるカメラ対応モバイルデバイスケースのシャッターボタン及びバネを取り付ける機構を概略的に示す。
【図２２Ａ】図２２Ａは、特定の実施形態によるカメラ対応モバイルデバイスケースのためのシャッターボタン機構用の摩擦スライダを概略的に示す。
【図２２Ｂ】図２２Ｂは、特定の実施形態によるカメラ対応モバイルデバイスケースのためのシャッターボタン機構用の摩擦スライダを概略的に示す。
【図２２Ｃ】図２２Ｃは、特定の実施形態によるカメラ対応モバイルデバイスケースのためのシャッターボタン機構用の摩擦スライダを概略的に示す。
【図２３】図２３は、特定の実施形態によるカメラ対応モバイルデバイスの場合の代替的なシャッターボタン機構の例を概略的に示す。
【図２４】図２４は、特定の実施形態によるカメラ対応モバイルデバイスの場合の代替的なシャッターボタン機構の例を概略的に示す。
【図２５】図２５は、特定の実施形態によるカメラ対応モバイルデバイスの場合の代替的なシャッターボタン機構の例を概略的に示す。
【図２６】図２６は、特定の実施形態によるカメラ対応モバイルデバイスの場合の代替的なシャッターボタン機構の例を概略的に示す。
【図２７】図２７は、特定の実施形態によるカメラ対応モバイルデバイスの場合の代替的なシャッターボタン機構の例を概略的に示す。
【図２８】図２８は、特定の実施形態によるカメラ対応モバイルデバイスの場合の代替的なシャッターボタン機構の例を概略的に示す。
【図２９】図２９−図３３は、特定の実施形態による、カメラ対応モバイルデバイスケースの構成要素によって集められたプログラミング及びデータに基づいて生成されたグラフィックスのスクリーンショットを示す。例えば、図２９は広角レンズ認識を示す。
【図３０】図３０はタッチスクリーンの照明と露出調整を示す。
【図３１】図３１はタッチスクリーンの照明と露出調整を示す。
【図３２】図１０及び図１７Ａ―図２８に示す例によって示されるシャッターボタンは図３２のように半押しされる。
【図３３】図３３は、特定の実施形態による撮像のために完全に押されたシャッターボタンを示す。
【図３４Ａ】図３４Ａは、特定の実施形態によるカメラ対応モバイルデバイスケース用のバッテリードアを概略的に示す。
【図３４Ｂ】図３４Ｂは、特定の実施形態によるカメラ対応モバイルデバイスケース用のバッテリードアを概略的に示す。
【図３４Ｃ】図３４Ｃは、特定の実施形態によるカメラ対応モバイルデバイスケース用のバッテリードアを概略的に示す。
【図３４Ｄ】図３４Ｄは、特定の実施形態によるカメラ対応モバイルデバイスケース用のバッテリードアを概略的に示す。
【図３４Ｅ】図３４Ｅは、特定の実施形態によるカメラ対応モバイルデバイスケース用のバッテリードアを概略的に示す。
【図３５Ａ】図３５Ａは、特定の実施形態によるカメラ対応モバイルデバイスケース用のカメラストラップアタッチメントを概略的に示す。
【図３５Ｂ】図３５Ｂは、特定の実施形態によるカメラ対応モバイルデバイスケース用のカメラストラップアタッチメントを概略的に示す。
【図３５Ｃ】図３５Ｃは、特定の実施形態によるカメラ対応モバイルデバイスケース用のカメラストラップアタッチメントを概略的に示す。
【図３５Ｄ】図３５Ｄは、特定の実施形態によるカメラ対応モバイルデバイスケース用のカメラストラップアタッチメントを概略的に示す。
【図３５Ｅ】図３５Ｅは、特定の実施形態によるカメラ対応モバイルデバイスケース用のカメラストラップアタッチメントを概略的に示す。
【図３６Ａ】図３６Ａは、特定の実施形態によるカメラ対応モバイルデバイスケースのカスタムグリップケースを概略的に示す。
【図３６Ｂ】図３６Ｂは、特定の実施形態によるカメラ対応モバイルデバイスケースのカスタムグリップケースを概略的に示す。
【図３６Ｃ】図３６Ｃは、特定の実施形態によるカメラ対応モバイルデバイスケースのカスタムグリップケースを概略的に示す。
【図３６Ｄ】図３６Ｄは、特定の実施形態によるカメラ対応モバイルデバイスケースのカスタムグリップケースを概略的に示す。
【図３７Ａ】図３７Ａは、特定の実施形態によるカメラ対応モバイルデバイスケースの内部クッション／ライニングを概略的に示す。
【図３７Ｂ】図３７Ｂは、特定の実施形態によるカメラ対応モバイルデバイスケースの内部クッション／ライニングを概略的に示す。
【図３７Ｃ】図３７Ｃは、特定の実施形態によるカメラ対応モバイルデバイスケースの内部クッション／ライニングを概略的に示す。
【図３８Ａ】図３８Ａは、特定の実施形態によるレンズと結合するように構成されたカメラ対応モバイルデバイスケースを概略的に示す。
【図３８Ｂ】図３８Ｂは、特定の実施形態によるレンズと結合するように構成されたカメラ対応モバイルデバイスケースを概略的に示す。
【図３８Ｃ】図３８Ｃは、特定の実施形態によるレンズと結合するように構成されたカメラ対応モバイルデバイスケースを概略的に示す。
【図３８Ｄ】図３８Ｄは、特定の実施形態によるレンズと結合するように構成されたカメラ対応モバイルデバイスケースを概略的に示す。
【図３８Ｅ】図３８Ｅは、特定の実施形態によるレンズと結合するように構成されたカメラ対応モバイルデバイスケースを概略的に示す。
【図３８Ｆ】図３８Ｆは、特定の実施形態によるレンズと結合するように構成されたカメラ対応モバイルデバイスケースを概略的に示す。
【図３８Ｇ】図３８Ｇは、特定の実施形態によるレンズと結合するように構成されたカメラ対応モバイルデバイスケースを概略的に示す。
【図３９Ａ】図３９Ａは、特定の実施形態によるレンズと結合するように構成されたカメラ対応モバイルデバイスケースを概略的に示す。
【図３９Ｂ】図３９Ｂは、特定の実施形態によるレンズと結合するように構成されたカメラ対応モバイルデバイスケースを概略的に示す。
【図３９Ｃ】図３９Ｃは、特定の実施形態によるレンズと結合するように構成されたカメラ対応モバイルデバイスケースを概略的に示す。
【図４０】図４０は、特定の実施形態によるカメラ対応携帯電話デバイスケースのための容量性タッチスライダを概略的に示す。
【図４１】図４１は、特定の実施形態によるカメラ対応携帯電話デバイスケースのための容量性タッチスライダを概略的に示す。
【図４２】図４２は、特定の実施形態によるカメラ対応携帯電話デバイスケースのための容量性タッチスライダを概略的に示す。
【発明を実施するための最良の形態】
【０００６】
本明細書では、カメラ対応モバイルデバイスと、ケースと、及び取り外し自在レンズアセンブリとを含むモバイルカメラシステムが提供される。モバイルデバイスは、デジタル画像を撮像するための内蔵レンズ及びイメージセンサを含んでモバイルデバイス内に組み込まれた小型カメラモジュールを含む。モバイルデバイスプロセッサは、デジタル画像を処理するように構成されている。モバイルデバイスディスプレイは、デジタル画像を見るために構成されている。ケースは、カメラ対応モバイルデバイスの周囲に結合されるように構成されている。レンズ装着インターフェースは、ケース内に組み込まれているか、ケースと一体である。取り外し自在レンズアセンブリは、小型カメラモジュールの光路に沿って安定的に整列されてレンズ装着インターフェースに結合されるように構成されている。ケースシャッターボタン機構は、モバイルカメラシステムの小型カメラモジュールを起動させるように構成されている。ケース内に組み込まれたケースプロセッサ及び電気回路は、レンズ装着インターフェースに結合された取り外し自在レンズの存在を検出するように構成されている。ケースプロセッサ及び電気回路に結合されたレンズ認識センサは、複数のレンズタイプの特定の１つに従って構成されているような取り外し自在レンズを識別するように構成される。
【０００７】
取り外し自在レンズアセンブリは、１つ以上の磁気要素が組み込まれたレンズホルダー又はそれに取り付けられたレンズホルダーを含むことができる。レンズ認識センサは、ホール電流、ホール電圧、又は、複数のレンズタイプのそれぞれについて異なる値を有する複数のレンズタイプのうちの特定のレンズタイプとして取り外し自在レンズを一意的に特定するのに充分な関連量を測定するために、１つ又は複数の磁気素子に従って配置された１つ又は複数のホールセンサを含むことができる。磁気要素は、概ね同じ又は類似の磁気特性を含み、レンズタイプに応じて異なる２値構成で配置されてもよい。
【０００８】
レンズ認識センサは、１つ以上の導電性コイルを含むことができる。取り外し自在レンズアセンブリは、１つ以上の導電性コイルに従って配置されたレンズホルダー又はそのアタッチメントを含むことができ、誘導磁場がレンズ認識センサによって誘導磁界が測定されたときに取り外し自在レンズを複数のレンズタイプのうちの特定の１つとして一意的に識別するのに充分な複数のレンズタイプのそれぞれについて異なる量の導電性材料を有する。各タイプのレンズの導電性材料は、概ね同じ又は類似の電荷密度及び異なる容積の材料を含むことができる。
【０００９】
レンズ認識センサは、静電容量参照プレートを含むことができる。取り外し自在レンズアセンブリは、静電容量参照プレートに従って配置されたレンズホルダ又はそのアタッチメントを含み、キャパシタを形成すると共に、充電時間又は減衰時間の一方又は両方がＲＣ回路について測定されるときに、取り外し自在レンズを複数のレンズタイプのうちの特定の１つとして一意的に識別するのに充分な複数のレンズタイプのそれぞれについて異なるキャパシタンス値を有するＲＣ回路を完成させる。各タイプのレンズのレンズホルダー又はそのアタッチメントの組成は、概ね同じ若しくは同様な電気材料及び異なる体積の材料を含むことができる。各レンズタイプのレンズホルダー又はそのアタッチメントの組成は、概ね同じ若しくは同様な電気材料及び異なる体積形状を含むことができる。
【００１０】
取り外し自在レンズアセンブリは、１つ又は複数の電気レンズホルダー接点を有するレンズホルダー又はそのアタッチメントを含むことができる。レンズ認識センサは、１つ以上の電気レンズホルダー接点に従って配置された１つ以上のセンサ接点を含むことができ、取り外し自在レンズを複数のレンズタイプのうちの特定の１つとして一意的に識別するのに充分な複数のレンズタイプのそれぞれについて異なる測定可能な電気的値を有する回路を完成させる。電気レンズホルダー接点は、レンズタイプに応じて異なる２成分構成で配置されてもよい。
【００１１】
取り外し自在レンズアセンブリは、複数のレンズタイプの各タイプごとに異なる固有の識別子を有する集積回路（ＩＣ）を含むレンズホルダー又はそのアタッチメントを含むことができる。レンズ認識センサは、ＩＣから固有の識別子を読み取るように構成されたＩＣリーダ回路を含むことができる。取り外し自在レンズアセンブリは、この取り外し自在レンズアセンブリがケースに連結されているときに、レンズ装着インターフェースと結合し、ＩＣリーダ回路を完成させるように構成されたカップリングインターフェースを含むことができる。カップリングインターフェースは、マイクロバヨネット・インターフェースを含むことができる。
【００１２】
取り外し自在レンズアセンブリは、複数のレンズタイプの各タイプに固有の近近距離通信（ＮＦＣ）タグ又は無線周波数識別（ＲＦＩＤ）タグ、又はその両方を含むレンズホルダー又はそのアタッチメントを含むことができる。レンズ認識センサは、ＮＦＣ又はＲＦＩＤタグを読み取るように構成されたＮＦＣリーダ回路又はＲＦＩＤリーダ回路、又はその両方を含むことができる。
【００１３】
取り外し自在レンズアセンブリは、レンズ装着インターフェースと結合するように構成されたカップリングインターフェースを含むことができ、取り外し自在レンズアッセンブリがケースに結合されたときにレンズ・センサ回路を完成するための戻り止め構成を含むことができる。この実施形態における完成レンズ・センサ回路は、取り外し自在レンズを複数のレンズタイプの特定の１つとして一意的に識別するのに充分な複数のレンズタイプのそれぞれについての戻り止めに応じて異なる測定可能な電気的値を有する。
【００１４】
取り外し自在レンズアセンブリは、複数のレンズタイプの他のレンズタイプのものとは異なり、取り外し自在レンズアセンブリを複数のレンズタイプの特定のものとして一意的に識別するためにレンズ認識センサによって測定可能な物理的特性を含むことができる。
【００１５】
取り外し自在レンズアセンブリは、取り外し自在レンズアセンブリを複数のレンズタイプの特定のものとして一意的に識別するために、レンズ認識センサによって測定可能なレンズタイプ識別手段を含むことができる。複数のレンズタイプは、広角レンズ及び望遠レンズタイプを含むことができる。
【００１６】
小型カメラモジュールを含むモバイルデバイスの周りで結合するための特定の実施形態に従って、モバイルデバイスケースが提供される。ケースハウジングは、カメラ対応モバイルデバイスの周辺の少なくとも一部の周りに堅固に結合するように構成されている。
【００１７】
ケースプロセッサ及び電気回路がケース内に組み込まれ、小型カメラモジュールと光学的に位置合わせされて安定的に結合された取り外し自在レンズの存在を検出するように構成されている。ケースは、その中に、被写体からの光をデジタル画像として捕捉して、小型カメラモジュールの光路に沿って、モバイルデバイスの小型カメラモジュールの内蔵画像センサへ進めるレンズ装着開口を画定する。ケース内に画定されたレンズ装着開口は、小型カメラモジュールと光学的に整列する取り外し自在レンズの安定した結合を容易にするようにも構成されている。ケースシャッターボタン機構は、モバイルカメラシステムの小型カメラモジュールを起動させるように構成されている。レンズ認識センサがケースプロセッサ及び電気回路に結合されて、取り外し自在レンズアセンブリが複数のレンズタイプの特定の１つに従って構成されていることを識別する。
【００１８】
取り外し自在レンズアセンブリは、小型カメラモジュールの光路に沿って整列して安定的に結合するように構成することができる。取り外し自在レンズアセンブリ及びケースは、レンズタイプの認識のために構成された本明細書に記載の幾つの実施形態の何れかに従って構成されてもよい。
【００１９】
小型カメラモジュールを含むモバイルデバイス用の補助光学アセンブリも提供される。補助光学アセンブリの取り外し自在レンズアセンブリは、レンズホルダーと、レンズホルダーに結合されたレンズと、及びカップリングインターフェースとを含む。補助光学アセンブリのレンズ装着インターフェースは、モバイルデバイスに結合するように構成され、小型カメラモジュールの光路に沿って取り外し自在レンズを安定的に結合し、位置合わせするための取り外し自在レンズアセンブリのカップリングインターフェースに従って構成される。
【００２０】
レンズ装着インターフェースは、モバイルデバイスの周囲に結合されたモバイルデバイスケースのレンズ装着開口と同軸に安定的に結合するように構成されてもよい。
【００２１】
レンズ装着インターフェースは、モバイルデバイスの周りに結合されたモバイルデバイスケースを含むことができる。この実施形態によれば、ケースは、本明細書に記載された１つ又は複数のケース特徴を含むことができる。例えば、各々が異なる光学特性を有する複数の取り外し自在レンズのうち特定の１つを自動的に認識するように構成されたレンズ認識センサを備えていてもよい。ケースは、レンズ認識プロセス、選択可能な事前撮影設定又は事後撮影画像編集又はそれらの組み合わせに従って、ソフトウェアアプリケーションによってプログラム可能なプロセッサ及び電気回路を含むことができる。ケースは、モバイルカメラシステムの小型カメラモジュールを起動させるためのケースシャッターボタンを含み、事前撮影設定を調整するための半押し機能と、画像を撮像するための全押し機能とを含む。
【００２２】
ケースには、片手での事前撮影調整と画像撮像のために、補助レンズの重量と他のケース部品との釣り合いを採る人間工学的なケースデザインがある。１本の指で容量スライダ機能を使用して、事前撮影メニュー項目をスクロールしたり、特定の項目を選択したり、特定の事前撮影設定を調整したり、画像を撮像したりすることができる。
【００２３】
レンズ装着インターフェースは、モバイルデバイスへの接着剤結合のために構成されてもよい。
【００２４】
取り外し自在レンズアセンブリのカップリングインターフェースは、レンズ装着インターフェースとの回転結合のためのマイクロバヨネット設計を有することができる。
【００２５】
本明細書では、特定の実施形態による他のモバイルカメラシステムが提供される。モバイルデバイス内に組み込まれた小型カメラモジュールを含むカメラ対応のモバイルデバイスは、デジタル画像を撮像するための内蔵レンズ及びイメージセンサを含むことができる。モバイルデバイスプロセッサは、デジタル画像を処理するように構成することができる。モバイルデバイスディスプレイは、デジタル画像を見るために構成されている。ケースは、カメラ対応モバイルデバイスの周囲に結合されるように構成されている。レンズ装着インターフェースはケース内に組み込まれているか、ケースと一体化されているか、或いはケースが、モバイルデバイスに直接結合されているレンズ装着インターフェースに従って構成されている。取り外し自在レンズは、レンズ装着インターフェースに結合され、小型カメラモジュールの光路に沿って安定的に整列するように構成されている。
【００２６】
レンズ装着インターフェースに結合された取り外し自在レンズの存在を検出するように構成されたケースプロセッサ及び電気回路がケース内に組み込まれている。ケースシャッターボタン機構は、モバイルカメラシステムの小型カメラモジュールを起動させるように構成され、事前撮影設定を調整するための半押し機能と、画像の撮像を始動するための全押し機能とを含む。
【００２７】
ケースシャッターボタン機構は、ケースシャッターボタンと、ケースシャッターボタンとモバイルデバイスの画像撮像ボタンとの間に連結された戻り止め機構とを含むことができる。戻り止め機構は、カメラ使用者によって指を押し下げたときにケースシャッターボタンの半押し動作を容易にし、カメラ使用者による１つ以上の事前撮影設定の調整中に画像撮像に先だってケースシャッターボタンの全押し動作を阻止するように構成されてもよい。
【００２８】
半押し動作は、モバイルデバイスの画像撮像ボタンを押し下げて係止することを含むことができる。半押し動作は、事前撮影設定調整処理を始動することを含むことができる。事前撮影設定調整処理は、露光時間調整を含むことができる。
【００２９】
ケースは、１つ又は複数の補助光源を含むことができ、事前撮影設定調整処理は、１つ又は複数の補助光源の照明条件を選択することを含むことができる。照明条件の選択は、モバイルデバイスをプログラミングして、１つ以上の補助光源の選択されたサブセットで画像を撮像する間に対象物の照明を始動することによって照明強度を調整することを含むことができる。照明条件の選択は、１つ又は複数の補助光源の選択されたサブセットによる画像撮像中に物体の照明を始動するようにモバイルデバイスをプログラミングすることによって照明方向を調整することを含むことができる。
【００３０】
モバイルデバイスは、１つ以上のフラッシュ光源を含むことができる。事前撮影設定調整処理は、１つ又は複数のフラッシュ光源の照明条件を選択することを含むことができる。
【００３１】
全押し動作は、モバイルデバイスの画像撮像ボタンを解放し、画像撮像処理を始動することを含むことができる。
【００３２】
戻り止め機構は、戻り止めばね及び戻り止めばねホルダを含むことができる。
【００３３】
戻り止め機構は、ケースシャッターボタンの作動時に摩擦スライダと摺動可能に結合するように構成された摩擦スライダ及びばね支持機構取り付けボタンを含むことができる。
【００３４】
戻り止め機構は、ばね機構と複数位置スナップドームとを含むことができる。ばね機構は、ケースシャッターボタンとスナップドームとの間に配置された波形ばねを含むことができる。ばね機構は、ケースシャッターボタンとスナップドームとの間に配置された機械的ばねを含むことができる。ばね機構は、スナップドームシャッタボタンと、ケースシャッターボタンとスナップドームシャッタボタンとの間に配置された第１のばねと、スナップドームシャッタボタンとスナップドームとの間に配置された第２のばねとを含むことができる。ばね機構は、携帯電話ケースの内側小区画と外側小区画との間に配置されたエラストマードームスイッチを含むことができる。ばね機構は、ケースシャッターボタンとスナップドームとの間に配置された弾性ドームスイッチを含むことができる。
【００３５】
ばね機構は、二重弾性スイッチを含むことができる。
【００３６】
小型カメラモジュールを含むモバイルデバイスの周りで結合するための他のモバイルデバイスケースがここに提供される。ケースハウジングは、カメラ対応モバイルデバイスの周辺の少なくとも一部の周りに堅固に結合するように構成されている。ケース内に組み込まれたケースプロセッサ及び電気回路は、小型カメラモジュールと光学的に位置合わせされて安定的に結合された取り外し自在レンズの存在を検出するように構成されている。ケースは、その中に、レンズ装着開口を画定し、これは、被写体からの光をデジタル画像として撮像し、小型カメラモジュールの光路に沿って、モバイルデバイスの小型カメラモジュールの内蔵画像センサへ進めると共に、小型カメラモジュールと光学的に位置合わせされた取り外し自在レンズの安定した結合を容易にすることができるように形状付けられている。ケースシャッターボタン機構は、モバイルカメラシステムの小型カメラモジュールを起動するように構成され、事前撮影設定を調整するための半押し機能と、画像の撮像を始動するための全押し機能とを含む。
【００３７】
ケースシャッタ機構は、本明細書に記載の実施形態の何れかに従って構成することができる。
【００３８】
レンズ装着開口は、レンズ装着インターフェースをケースに安定的に結合するような形状にすることができる。
【００３９】
レンズ装着開口は、レンズ装着インターフェースを一体的に含むような形状にすることができる。
【００４０】
レンズ認識センサは、それぞれ異なる光学特性を有する複数の取り外し自在レンズの特定の１つを自動的に認識するように構成されてもよい。
【００４１】
ソフトウェアアプリケーションは、選択可能な事前撮影設定及び／又は事前撮影画像編集、又はその両方に従って、ケースプロセッサをプログラミングするように構成することができる。
【００４２】
レンズ装着インターフェースは、モバイルカメラシステムの小型カメラモジュールの光路に沿って安定した位置に補助レンズを結合するように構成することができる。補助レンズは、レンズ装着インターフェースとの回転結合のためのマイクロバヨネット設計を含むことができる。
【００４３】
ケースは、片手の事前撮影調整と画像撮像のための概ねグリップ位置において、補助レンズの重量とケースプロセッサ及び電気回路との釣り合いを採る人間工学的なデザインを有することができる。
【００４４】
本明細書では、特定の実施形態による他のモバイルカメラシステムが提供される。このシステムは、カメラ対応のモバイルデバイスを含む。レンズを内蔵したモバイルデバイスに組み込まれた小型のカメラモジュールと、デジタル画像を取り込むためのイメージセンサとを含む。モバイルデバイスプロセッサは、デジタル画像を処理するように構成され、モバイルデバイスディスプレイは、デジタル画像を表示するように構成される。ケースは、カメラ対応モバイルデバイスの周りに結合される。取り外し自在レンズアセンブリは、レンズホルダーと、レンズホルダーに結合されたレンズと、カップリングインターフェースとを含む。レンズ装着インターフェースは、ケース内に組み込まれているか、又はモバイルデバイスに直接結合されており、小型カメラの光路に沿って取り外し自在レンズを安定的に結合及び位置合わせするための取り外し自在レンズアセンブリのカップリングインターフェースに従って構成されている。ケースプロセッサ及び電気回路がケース内に組み込まれ、レンズ装着インターフェースに結合された取り外し自在レンズの存在を検出するように構成されている。ケースシャッターボタン機構は、モバイルカメラシステムの小型カメラモジュールを起動させるように構成されている。
【００４５】
取り外し自在レンズアセンブリのカップリングインターフェースは、バヨネットタブを含むことができる。レンズ装着インターフェースは、戻り止め部分を含むことができ、これは少なくとも部分的にレンズ装着キャビティを画定し、これは取り外し自在レンズアセンブリのバヨネットタブを取り外し自在レンズがモバイルデバイスの小型カメラモジュールの光路に沿って安定的に結合して整列するように形状付けられている。
【００４６】
バヨネットタブは長円形であってもよい。レンズ装着インターフェースは、戻り止めを含むことができ、これは長円形キャビティを画定し、この長円形キャビティは、短手方向寸法が長円形キャビティの長手方向寸法よりも小さくされて、長円形キャビティが第１の相対的な向きでバヨネットタブによって貫通可能であり、第２の相対的な向きではバヨネットタブが長円形キャビティに安定的に結合する。
【００４７】
バヨネットタブは、長方形の形状を有することができる。
【００４８】
レンズ装着インターフェースは、第１の平面内に円形キャビティを画定し、一方、戻り止めは、光路に沿って第１の平面から離間した第２の平面内の円形キャビティと重なる。
【００４９】
レンズ装着キャビティは、レンズ装着部分と、レンズ装着部分に隣接するフラッシュ部分とを含み、モバイルデバイスのフラッシュからの光が画像化されるべき被写体を照らすことを可能にする。レンズ装着キャビティのレンズ装着部分は、レンズ装着キャビティのフラッシュ部分が画定される第２の平面よりも、小型カメラモジュールのイメージセンサからさらに離間した第１の平面内に画定し得る。
【００５０】
ケースは、小型カメラモジュールの光路の周りに取り外し自在レンズのレンズ装着インターフェースのカップリングを収容するケースキャビティを画定することができる。ケースキャビティはまた、レンズ装着部分に隣接するフラッシュ部分において、モバイルデバイスフラッシュからの光が撮像されるべき被写体を照らすことを可能にするように成形されていてもよい。
【００５１】
取り外し自在レンズアセンブリのレンズホルダーは、小型カメラモジュールの光路の周りにキャビティを画定して、撮像される被写体からの光が小型カメラモジュールの画像センサに到達することを可能にする。取り外し自在レンズアセンブリのカップリングインターフェースはまた、撮像される物体からの光が小型カメラモジュールの画像センサに到達することを可能にするために、小型カメラモジュールの光路の周りにキャビティを画定する。カップリングインターフェース及びレンズホルダーのキャビティは、小型カメラモジュール及び取り外し自在レンズの光路と概ね同軸である。
【００５２】
或る小型のカメラモジュールを含むモバイルデバイスの周りに結合するための特定の実施形態に従って、他のモバイルデバイスケースが提供される。ケースハウジングは、カメラ対応モバイルデバイスの周辺の少なくとも一部の周りに堅固に結合するように構成されている。ケースプロセッサ及び電気回路はケース内に組み込まれ、これらは、小型カメラモジュールと光学的に位置合わせされて安定的に結合された取り外し自在レンズの存在を検出するように構成されている。ケースは、その中に、レンズ装着開口を画定するように構成され、レンズ装着開口は、デジタル画像として撮像すべき被写体からの光を小型カメラモジュールの光路に沿って、モバイルデバイスの小型カメラモジュールの内蔵画像センサへ進めると共に、取り外し自在レンズを小型カメラモジュールと光学的に位置合わせされた安定した結合を容易にするように形状付けられている。ケースシャッターボタン機構は、モバイルカメラシステムの小型カメラモジュールを起動させるように構成されている。レンズ装着インターフェースは、ケース内に組み込まれているか又はケースと一体的にされているか、或いはモバイルデバイスに直接に結合されており、レンズ装着開口及び取り外し自在レンズアセンブリのカップリングインターフェースが取り外し自在レンズアセンブリをミニチュアカメラモジュールの光路に沿って安定的に結合及び位置合わせするように構成されている。取り外し自在レンズアセンブリのカップリングインターフェースとレンズ装着インターフェースとのは、バヨネット結合のために、又は本明細書に記載の幾つかの実施形態の何れかに従って構成することができる。
【００５３】
他の補助光学アセンブリは、小型カメラモジュールを含むモバイルデバイス用に本明細書で提供される。補助光学アセンブリの取り外し自在レンズアセンブリは、レンズホルダーと、レンズホルダーに結合されたレンズと、カップリングインターフェースとを含む。補助光学アセンブリのレンズ装着インターフェースは、モバイルデバイスに安定的に結合するようにモバイルデバイスに従って、また取り外し自在レンズを、小型カメラモジュールの航路に沿って安定的に結合して位置合わせするように取り外し自在レンズアセンブリのカップリングインターフェースに従って構成されている。
【００５４】
レンズ装着インターフェースは、モバイルデバイスへの接着剤結合のために構成されてもよい。
【００５５】
レンズ装着インターフェースは、モバイルデバイスの形状に従って形状付けられてもよい。
【００５６】
レンズ装着インターフェースはまた、モバイルデバイスのサイズに合わせてサイズ設定することができる。
【００５７】
レンズ装着インターフェースは、モバイルデバイスの小型カメラモジュールの光路に従って同軸に構成された開口を画定することができる。
【００５８】
取り外し自在レンズアセンブリのカップリングインターフェースは、バヨネットタブを含むことができる。レンズ装着インターフェースは、戻り止め部分を含むことができ、これはスクアンクとも部分的にレンズ装着キャビティを画定し、これは取り外し自在レンズアセンブリのバヨネットタブをモバイルデバイスの小型カメラモジュールの光路に沿って取り外し自在レンズを安定的に結合して位置合わせさせるように形状付けられている。
【００５９】
バヨネットタブは、本明細書に記載の幾つかの取り外し自在レンズ実施形態及びレンズ装着インターフェース実施形態の何れかに従って、長方形及び／又は湾曲した形状に構成することができる。ケースは、本明細書の様々な実施形態で説明したように、取り外し自在レンズのカップリングインターフェースとレンズ装着インターフェースに従って構成することができる。
【００６０】
特定の実施形態による他のモバイルカメラシステムが提供される。このシステムのカメラ対応モバイルデバイスは、内蔵レンズとデジタル画像を撮像するための画像センサとを含む小型カメラモジュールを含む。モバイルデバイスプロセッサは、デジタル画像を処理するように構成され、モバイルデバイスディスプレイは、デジタル画像を表示するためのものである。ケースハウジングは、カメラ対応モバイルデバイスの周りに結合される。ケースは、ケースハウジングの画像撮像グリップ位置に概ね重心を有する。レンズ装着インターフェースは、ケース内に組み込まれているか、ケースと一体化されているか、又はモバイルデバイスに直接に取り付けられている。取り外し自在レンズは、レンズ装着インターフェースに結合され、小型カメラモジュールの光路に沿って安定的に位置合わせされる。ケースシャッターボタン機構は、モバイルカメラシステムの小型カメラモジュールを起動させるように構成されている。
【００６１】
ケースシャッターボタン機構は、事前撮影設定メニューを呼び出すための半押し機能のユーザー起動のために、また、画像の撮像を始動するための全押し機能のユーザー起動のために構成されてもよい。ケースシャッターボタン機構は、事前撮影設定メニューと画像の撮像始動との両方についての片手によるユーザー起動のために構成することができる。ケースシャッタ機構は、モバイルデバイスのタッチスクリーンインターフェース上に事前撮影設定メニューを表示するように構成することができる。
【００６２】
ケースシャッターボタン機構は、容量性タッチスライダを含むことができ、これは、ケースに結合され、事前撮影設定メニューのユーザー起動及び画像の捕捉を始動するように構成されている。ケースシャッターボタン機構は、事前撮影設定メニューと画像撮像との両方についての片手によるユーザー起動のために構成することができる。ケースシャッタ機構は、１本又は２本の指タップを受けて、事前撮影設定メニュー及び画像の撮像始動のユーザー起動のうちの一方又は他方を始動するように構成されてもよい。ケースシャッタ機構は、事前撮影設定メニュー内の１つ又は複数の値を調整するために、指又は親指スライド入力の一方又は両方を受け取るように構成されてもよい。
【００６３】
静電容量式タッチスライダは、携帯電話ケースのグリップ端部に携帯電話ケースの平面に対して鋭角で配置された細長いタッチプレートを含むことができる。静電容量式タッチスライダは、小型カメラモジュール及び取外し可能レンズに対向する携帯電話ケースのグリップ端部に配置された細長いタッチプレートを含むことができる。
【００６４】
ケースハウジングは、その内部に、ケースハウジングのグリップ端部においてケースバッテリ、ケースプロセッサ、及び電気回路部品を結合してもよい。ケースプロセッサ及び電気回路構成要素は、レンズ装着インターフェースに結合された取り外し自在レンズの存在を検出するように構成されてもよい。ケースプロセッサ及び電気回路構成要素は、取り外し自在レンズを特定のレンズタイプとして識別するように構成することができる。電気回路部品は、ブルートゥース（登録商標）無線を含むことができる。
【００６５】
ケースハウジングは、小型カメラモジュールの光路に沿ってレンズ集積を収容するように構成された取り外し自在レンズ凹部を画定することができる。
【００６６】
レンズ装着インターフェースは、回転結合のためのマイクロバヨネット設計を含めて、モバイルカメラシステムの小型カメラモジュールの光路に沿って、安定的な位置合わせで取り外し自在レンズを結合するように構成することができる。
【００６７】
ケースプロセッサは、ケースハウジング内に組み込まれてもよく、ソフトウェアアプリケーションは、選択可能な事前撮影設定及び／又は事後撮影画像編集、又はその両方に従って、ケースプロセッサをプログラミングするように構成されてもよい。
【００６８】
人間工学的なケース設計は、片手により事前調整及び画像撮像のための概ねグリップ位置で、補助レンズ重量と他のケース構成要素との釣り合いを採るように構成することができる。ケースハウジングは、取り外し自在レンズ凹部を画定することができ、これは小型カメラモジュールの光路に沿ってレンズ集積を収容すると共に、２次元で少なくとも幾つかの補助レンズ重量を釣り合わせるように構成されている。
【００６９】
或る小型カメラモジュールを含むモバイルデバイスの周りに結合するための特定の実施形態に従って、他のモバイルデバイスのケースが提供される。ケースハウジングは、カメラ対応モバイルデバイスの周辺の少なくとも一部の周りにしっかりと結合するように構成される。ケース内に組み込まれたケースプロセッサ及び電気回路は、小型カメラモジュールと光学的に位置合わせされて安定的に結合された取り外し自在レンズの存在を検出するように構成される。ケースは、その中に、被写体からの光をデジタル画像として捕捉して、小型カメラモジュールの光路に沿って、小型カメラモジュールの内蔵画像センサ小型カメラモジュールと光学的に位置合わせされた取り外し自在レンズの安定した結合を容易にすることができる。ケースシャッターボタン機構は、モバイルカメラシステムの小型カメラモジュールを起動するように構成されている。
【００７０】
レンズ装着開口は、レンズ装着インターフェースをケースに安定的に結合するような形状にすることができる。
【００７１】
レンズ装着開口は、レンズ装着インターフェースを一体的に含むような形状にすることができる。モバイルデバイスのケースはさらに、本明細書に記載の幾つかの実施形態に従って構成されている。
【００７２】
モバイルカメラデバイス、モバイルカメラデバイスケース、モバイルカメラデバイス及び／又はモバイルカメラデバイスケースのレンズ装着インターフェース、モバイルカメラデバイス及び機能的モバイルカメラデバイスケースのための半押し／全押しシャッターボタン、及びソフトウェアアプリケーション、付属品及び他の特徴の幾つかの実施形態は、図１−４２を参照して以下に説明される。様々な特徴が、図面の複数の小集団に示される幾つかの例示的な実施形態に示されている。
【００７３】
モバイルカメラデバイス、モバイルカメラデバイスケース、モバイルカメラデバイス及び／又はモバイルカメラデバイスケースのレンズ装着インターフェース、モバイルカメラデバイス及び機能的モバイルカメラデバイスケースのための半押し／全押しシャッターボタン、及びソフトウェアアプリケーション、付属品及び他の特徴の幾つかの実施形態面の図１―４２を参照して以下に説明される。様々な特徴が、図面の複数の一部に示される幾つかの例示的な実施形態に示されている。
【００７４】
図１−図１０は、非接触及び直接電気接触技術を含むレンズ検出及び認識方法及び装置の例を具体的に示している。すなわち、異なる光学特性をそれぞれ有する複数の選択可能に取り外し自在可動レンズタイプの特定のレンズタイプが、モバイルカメラ装置のケース内に組み込まれた電子機器及びソフトウェアによって認識可能かつ識別可能である。幾つかの実施形態では、レンズ、レンズホルダー、及び／又はレンズ及びモバイルデバイスケースのレンズ装着インターフェースの１つ又は複数の特徴は、レンズ認識を容易にするように構成されている。例示的な技術は、１つ又は複数のホール効果センサ、誘導性又は容量性センサ、及び／又は直接的な電気的接続の使用を含む。
【００７５】
図１は、カメラ対応携帯電話４若しくは他の組み込み型モバイルカメラデバイス４の周囲に結合されたケース２を含むモバイルカメラシステムを概略的に示す。レンズ装着インターフェース６は、ケース２に対して結合されるか、取り外し自在に取り付けられるか、内部に組み込まれているか、或いは一体的に形成されている。
【００７６】
レンズ認識センサ（８）は、レンズ・センサ接続部１０によって電気的に、及び／又はブルートゥース、ＲＦ及び／又はＩＲ又は他の無線技術によって、レンズを含む主プリント回路基板（ＰＣＢ）１２に信号接続されており、センサインタフェース１４と、プロセッサ１６とを含む。主ＰＣＢ１２は、選択的にブルートゥーススマートラジオ１８を含む。図１に示す例示的なケース２は、図示のようなコインセルなどの幾つかの種類の何れかであり得るバッテリー２０を含む。
【００７７】
電話機４の設置された構成要素である小型カメラモジュール（図１には図示せず）の光路に沿って結合されたレンズ２２が図１に示されている。レンズ２２は、モバイルカメラシステムの内蔵小型カメラモジュールのレンズ及びイメージセンサと安定的に位置合わせされて、レンズ装着インターフェース６においてケース２及び電話４に結合される。
【００７８】
レンズの検出と認識
レンズ認識は、レンズ検出とレンズタイプ識別の両方を伴うものと考えることができる。レンズ検出は、レンズ認識部品又は標準化されたレンズを備えたケースと結合するように特別に設計されたレンズが取り付けられており、異物又は非適合インターフェースを使用するレンズではないことをデバイスに認識させる。
【００７９】
図２Ａ−図２Ｃは、磁場検知レンズ認識技術を示す。正確に配置された磁石２４又は磁石の小集団２４又は磁石のアレイ２４が、図２Ａに示されるレンズ２２、又はレンズホルダー、或いはレンズ２２又はレンズホルダーへのアタッチメントに組み込まれる。本実施形態のレンズ・センサ２８は、モバイルカメラデバイスケース２（図１参照）へ主ＰＣＢ１２に対するレンズ・センサ接続部１０と共に組み込まれ、ホール効果センサ３０又はホール効果センサ３０のアレイを含む。図２Ａの例では、４つのホール効果センサ３０があり、その各々は、磁場を検出するか、レンズ２２がセンサレイ３０の特定のホールセンサ３０に関連する位置に磁石を含むか否かに依存しない。
【００８０】
磁石が存在しない場合、ホールセンサは００００を測定する。４つの磁石がある場合、ホールセンサは１１１１を測定する。特定のレンズ２２が４つの磁石のうちの１つを含む場合、ホールセンサは、磁石が配置されている４つの位置のうちの何れかに応じて１０００、０１００、００１０又は０００１を測定する。レンズ２２が４つの磁石のうちの２つを有する場合、ホールセンサは、磁石が配置されている４つの位置のうちの２つに応じて、１１００,１０１０,１００１,０１１０,０１０１又は００１１を測定する。３つの磁石がある場合、ホールセンサは、磁石が配置されていない４つの位置に応じて、１１１０,１１０１,１０１１、又は０１１１を測定する。全体として、１６個の異なるレンズタイプが、４つのホールセンサと、この例で説明され図示されている２値法を使用して識別され得る。センサは逆極性を測定することもでき、例えば１つの磁石を用いて測定値を０１１１,１０１１,１１０１,１１１０とすることができることに留意されたい。独特な組み合わせの磁石を含む複数のレンズを検出（存在）し、識別することができる（一意に識別できる）。
【００８１】
図２Ｂ−図２Ｃは、４つのホールセンサ３０を含むホールセンサインターフェース２８と、主ＰＣＢ１２へのレンズ・センサ接続部１０とを含むケース２を代替的に示している。レンズ装着インターフェースキャビティ３２は、図２Ｂ−図２Ｃのそれぞれのケース２内に画定される。レンズ装着インターフェースキャビティ３２は、レンズ装着インターフェース６（図２Ｂ―２Ｃには図示されていないが、図１０−１１及び図１３−１４を参照）をケース２に安定に結合させるような形状及び位置に構成され、レンズ２２を、例えば、ｉＰｈｏｎｅ（登録商標）、アンドロイド又はサムスンの電話機又は他のスマートフォン、埋め込み型デバイス又はカメラデバイスなど、モバイルカメラデバイスに組み込まれた小型カメラモジュールと安定的に位置合わせさせて結合させ得る。
【００８２】
図３Ａは、誘導検知レンズ認識技術を使用するデバイスの一例を示す。この技術は、金属レンズホルダー本体又はレンズホルダアタッチメント内に渦電流を発生させるか、又は、接続されたケース（図３Ａには図示されていないが、図１、図２Ｂ-２Ｃ及び図１０を参照）内の同調コイルレンズセンサ３８を用いて誘導磁場の強度を測定することを含む。同調コイルセンサ３８は、センサ接続部４０によって主ＰＣＢ４２に接続されている。例示的な同調コイルセンサ３８は、１８ターン、２層、０.２５ｍｍ  ｓｐ、１オンス、Ｃｕ、７ｍｉｌ／ｓｐ、固定目標距離は〜２ｍｍを含み、コイルは１００％覆われているがオフセットが８ｍｍで、〜８μＨにおいて１４ｍｍＰＣＢコイルである。例示的なセンサ接続部４０は、上部に長いコイルトレースと下部に固体接地面とを含む。例示的な主ＰＣＢ４２は、４層のＰＣＢ、上部のコイルトレース、及び層２の個体接地面を含む。複数のレンズタイプのそれぞれは、レンズホルダーの特性に応じて固有の誘導磁場の大きさを生成する。
【００８３】
図３Ａに示す例では、各々が同じ量のステンレス鋼を有するが、異なる量の陽極酸化アルミニウムを有する３つのレンズタイプが図３Ａ（ｉ）−３Ａ（ｉｉｉ）として示されている。この例では、陽極酸化されたアルミニウムの密度は、図３Ａ（ｉ）-３Ａ（ｉｉｉ）にそれぞれ示されているレンズホルダー４４，４６及び４８のそれぞれにおいて同じであるが、レンズホルダー４６は、レンズホルダー４４は１０ｍｍの高さ、レンズホルダー４６は２０ｍｍ、及びレンズホルダー４８は３０ｍｍであるので、レンズホルダー４６はレンズホルダー４４の２倍の陽極酸化アルミニウムを含み、レンズホルダー４８はレンズホルダー４４の３倍の陽極酸化アルミニウムを含む。
【００８４】
図３Ｂは、図３Ａに示す実施形態の誘導検知レンズ認識技術の特定の電気回路の例を示す。
【００８５】
図４は、容量性センシングレンズ認識技術を使用するデバイスの例を示す。容量性検出技術は、コンデンサ本体としてのレンズ本体２２Ａを使用し、接続されたケースによって駆動されたときのＲＣ減衰時間及び周波数応答を測定することにより、この実施例で提供される。静電容量基準プレート４８は、レンズ・センサ接続５０によって主ＰＣＢ５２に接続されている。プレート４８、接続部５０及びＰＣＢ５２は、ケース内に組み込まれている（図４には示されていないが、図１、図２Ｂ−図２Ｃ及び図１０を参照）。レンズハウジング２２Ａ及び２２Ｂを含むケースにレンズ２２が取り付けられると、レンズハウジング２２Ａ及びレンズ光学部材２２は、それぞれコンデンサプレート２２Ａ及び２２Ｂとして機能し、静電容量基準プレート４８は、容量性回路素子を完成させる。ＲＣ回路は抵抗５４を含む。ＲＣ回路に電力が供給されると、充電及び減衰時間は、どのレンズタイプが取り付けられているかによって異なるレンズ２２及び基準プレート４８によって形成されるレンズコンデンサの静電容量に依存し、それにより取り付けられたレンズタイプを識別する。
【００８６】
図４の例では、レンズ及びレンズハウジング（２２）が取り付けプレート４８に取り付けられると、レンズハウジング２２Ａ及び静電容量基準プレート４８によって形成される静電容量は、ＰＣＢ５２は、キャパシタンスの変化を充電するのに異なる時間を要する。異なる容量値を表す複数のレンズは、充電時間及び減衰時間に基づいて検出（存在）し、区別（一意的に識別）することができる。
【００８７】
図５Ａは、レンズセンサインターフェース５８上の露出した電極５７と、レンズ２２又はレンズホルダー２２Ａ上の露出した電極６０と、又はレンズホルダー２２Ａへの取り付けとの間の電気的接続を使用するデバイスの一例を示す。この実施形態では、接続されたケースによって測定される電気回路を完成させるためにレンズ本体２２Ａの導電特性を利用する直接電気接続技術が提供される。レンズセンサインターフェース５８が４つの電極５７を含むこの例では、接続された電極５７と接続されていない電極５７との８つの独特の組み合わせが、以下のように、８つの異なるレンズタイプの主ＰＣＢ６２のプロセッサ１６による識別を可能にする。
【００８８】
レンズセンサインターフェース電極５７とレンズホルダー電極６０との間に接続がない場合、ＰＣＢ６２は０００構成に関連する特定の電気量を測定する。ここで、「０」は接続なしを表し、「１」は接続を表す。３つの接続がある場合、ＰＣＢ６２は１１１構成に関連する特定の電気量を測定する。電気回路の例が図５Ａの主ＰＣＢ６２内に示されており、抵抗の構成と、画定された正の基準６４と、負の基準６６と、測定ノード６８とを含む。各タイプのレンズ２２は、負の基準６６に接触する電極６０を有する。特定のレンズ２２が、レンズ２２がケース（図３Ａには示されていないが、図１、図２Ｂ及び図２Ｃを参照）に取り付けられたときに負の基準６６でない３つの電極５７のうちの１つに接触する電極６０を含む場合、ＰＣＢ６２は、接触がなされる３つの位置のうちのどれに依存するかに応じて、１００、０１０、又は００１の接触構成に固有の電気量を測定する。レンズ２２が３つのうちの２つの接点を有する場合、ＰＣＢ６２は、２つの接点が形成される１１０、１０１、又は０１１の接点構成のうちの何れかに対応する固有の電気量を測定する。レンズ２２がケースに結合されたときに３つの接触がなされた場合、ＰＣＢ６２は、１１１の接触構成のうちのどれが行われるかに依存する電気量を測定する。全体として、８つの異なるレンズタイプは、各レンズタイプに対して４つまでの電極６０の独特な構成を読み取る３つの接点５７と、この例で説明し例示した２進加算方式を使用して識別することができる。
【００８９】
図５Ａは、測定ノードにおける電圧がレンズに存在する各接続点のバイナリ合計である場合のアナログの識別方法を示す。特定の実施形態では、アナログ電圧がアナログ−デジタル変換器に供給され、固有のレンズタイプを決定するために定量化される。
【００９０】
図５Ｂは、各レンズ接続点が「１」又は「０」を表すデジタル識別方法を概略的に示す。レンズの接続点の有無は、固有のレンズタイプを決定する固有のデジタルバイナリコードを形成する。
【００９１】
図５Ｂのフィルタブロックは、様々なソースからシステムに結合されるノイズを低減するための抵抗とコンデンサの組み合わせを含む。
【００９２】
図５Ａの例では、レンズ本体上の露出した導電性点とセンサとの間の電気的接続がなされる。電流は、正の基準点から各センサ接続点を通って負の基準点に戻る。測定ノードで生成される電圧は、各レンズタイプに固有のものになる。測定ノードの電圧に基づいて、異なる数の接続点を有する複数のレンズを検出（存在）し、区別する（一意に特定する）ことができる。
【００９３】
図５Ｂの例では、レンズ本体上の露出した導電性点とセンサとの間に電気的接続が形成される。電流は次に、マイクロプロセッサのピンから各センサ接続点を通って負の基準点に戻る。各マイクロプロセッサ・ピンで生成される電圧は、レンズ上の接続点を示す。異なる数の接続点を有する複数のレンズを、接続のバイナリ組合せに基づいて検出（存在）し、区別（一意的に識別）することができる。
【００９４】
図６は、埋め込みコンポーネントの例を示し、これはレンズ・センサ接続部７０と、集積回路７４又は他の読み取り可能な技術によって提供される固有の識別子からレンズタイプを読み取るモバイルカメラデバイスケースの主ＰＣＢ７２を含む。この実施形態では、直接的な電気的接続は、接続されたケースのＰＣＢ７２によって電気的に読み取られる識別番号を含むレンズ２２内の、又はレンズ２２に取り付けられた集積回路７４を使用することによってレンズ認識技術を提供する。各レンズタイプは、ＰＣＢ７２によって読み取り可能な異なる固有の識別子を有する。回路は、レンズ２２が、それ自体がモバイルデバイスの周りに結合されているモバイルデバイスケースに連結されたか、又は一体であるレンズ装着インターフェースにおいて、モバイルカメラデバイスの小型カメラモジュールと安定的に位置合わせされたときに形成され得る。この実施形態では、マイクロバヨネット・インターフェース７６が示されており、これは電気絶縁部分７８を含み、レンズ２２のマイクロバヨネット・インターフェース７６と、モバイルデバイスケース（図６には図示されていないが、図１、図２Ｂ−図２Ｃ及び図１０参照）に結合又は一体的にされたレンズ装着インターフェースとの間のレンズ及びアタッチメントの回転の際に、レンズ２２がレンズ装着インターフェース（図６には図示されていないが、図１０−１１及び図１３−１４参照）に安定的に結合されたときにＩＣ読み取り回路が完成する。
【００９５】
図６の例では、固有ＩＤを含む集積回路７４が各レンズに組み込まれている。マイクロバヨネット・インターフェース７６を介して電気的接続が確立され、主ＰＣＢ７２が固有の値を読み取ることが可能になる。レンズ２２から読み取られた固有ＩＤは、ＩＤ値に基づいてレンズ２２を検出（存在）し、識別（一意に識別）させる。
【００９６】
図７は、レンズ２２内の又はレンズ２２に取り付けられた電場給電無線周波数（ＲＦＩＤ）タグ（８０）を使用することによって近接場通信（ＮＦＣ）を利用する別のレンズ認識技術を示し、これは接続されたケース又は携帯電話ＮＦＣラジオによって読み取られる識別番号を含み、これはプロセッサへ渡される。ＮＦＣアンテナ８２は、ＲＦＩＤタグ８０を読み取り、レンズ・センサ接続８４によって、主ＰＣＢ８８のＮＦＣリーダー８６に接続されると共に、モバイル機器ケース（図６には示されていないが、図１及び図２Ｂ−図２Ｃを参照）に内蔵されたプロセッサ９０及びブルートゥーススマートラジオ９２を含み、モバイル機器ケースは、補助レンズがモバイルデバイスの小型カメラモジュールと安定的に位置合わせされて結合されるように構成されている。
【００９７】
図７の例では、固有のＩＤを含む近距離通信（ＮＦＣ又はＲＦＩＤ）タグ８０が各レンズ２２に組み込まれている。ＮＦＣ ／ ＲＦＩＤタグリーダー８６は、タグ８０に電力を供給するためのフィールドを生成し、主ＰＣＢ８８がＮＦＣタグ８０に記憶された固有の値を読み取ることを可能にする。レンズタグから読み取られた固有ＩＤは、ＩＤ値に基づいてレンズ２２を検出（存在）し、識別（一意に識別）することを可能にする。
【００９８】
図８は、適合するレンズ又は標準化されたレンズがモバイルデバイスのケースに結合され、組み込みカメラモジュールの光路と位置合わせされているか否かを検出する技術を概略的に示す。図８に示す例では、ばね電極９３と基準電極９４との間に電気ばね接続が形成されている。タブ９８を含むマイクロバヨネット９６又は他のそのようなレンズインターフェースを含む適合又は標準化されたレンズ２２が、モバイルデバイスケースのレンズセンサインターフェースに結合されるとき、タブ９８は、接触するバネ９３を圧縮する働きをする基準電極９４と接続され、接続されたケース内に組み込まれたＰＣＢ１０２のプロセッサ１００によって検出される電気回路を完成させる。図８の例では、マイクロバヨネット９６が９０度回転して定位置になると、バヨネットタブ９８はバネ電極９３をその圧縮位置に押す。ばね９３が圧縮されると、基準電極９４から電流が流れる回路が完成する。マイクロバヨネット９８が回転しなくなり、バネ９３が緩むと回路が破損する。回路に電流が流れると、レンズ２２が検出される（存在する）。
【００９９】
図９は、適合又は標準化されたレンズがモバイルデバイスのケースに結合され、組み込みカメラモジュールの光路と位置合わせされているか否かを検出し、複数のレンズタイプの何れが取り付けられている否かを識別する技術を概略的に示す。例示的な実施形態による図９に示されているレンズ認識技法は、金属タイプのクリップ１０４のレンズタイプ及び導電性を識別して電気回路を完成させるように独自に構成されたバヨネットタブ止め部１１２に接続する電気クリップ１０４を利用する接続されたケースによって測定される。
図９に示す例では、複数のバネ電極クリップ１０３のうちの１つと、主ＰＣＢ１０８内の回路を完成させるレンズ・センサ接続１０６上の電気接続点１０４との間に、電気スプリング接続が行われる。
【０１００】
図９の例では、マイクロバヨネットタブ１１２は、明確な間隔で機械加工された戻り止めを有する。戻り止め機能がないか存在しているかは、各レンズタイプに固有である。マイクロバヨネット１１０が９０度回転してバヨネットタブ１１２がカスタムクリップ１０３上のフィーチャを所定位置に押し込むので、戻り止めがないとクリップ１０３がセンサインタフェース回路上の露出した電極１０４に接触する１０６。クリップ１０３が電極１０４と接触すると、電流が正の基準点から各クリップ接続点１０４を通って負の基準１１８に戻る。測定ノード１１４で生成された電圧は、各レンズタイプに固有のものとなる。測定ノード１１４の電圧に基づいて、異なる戻り止めパターンを有する複数のレンズ２２を検出（存在）し、区別（一意的に識別）することができる。
【０１０１】
例えば、マイクロバヨネット・インターフェース１１０又は結合されたレンズ２２の特定のレンズタイプに特有の戻り止め特性を含むタブ１１２を含む他のそのようなレンズインターフェースを含み、特定のレンズタイプの適合又は標準化されたレンズ２２に組み込まれたレンズ・センサ接続１０６及びＰＣＢ１０８を含むモバイルデバイスのケースに対して、タブ９８は、バネ電極クリップ１０３の独特の組み合わせと電気的接触を行い、ＰＣＢ上の固有の電気回路、例えば抵抗器、測定ノード１１４、及び正の基準１１６及び負の基準１１８は、図９に概略的に示されている。固有の電気量がプロセッサ１２０によって、モバイル装置のケースに現在接続されており、その一体化された小型カメラモジュールと位置合わせされている特定のレンズタイプのレンズ２２に測定され整列される。
【０１０２】
図１０は、特定の実施形態によりｉＰｈｏｎｅ、又はＡｎｄｒｏｉｄ又はサムスンのスマートフォンなどのカメラ対応携帯電話、又は組み込まれたカメラモジュールを含む他の組み込み機器の周囲に結合するように構成されたケースアセンブリの例の分解図である。図１０の例示的な実施形態のケースアセンブリは、ＴＰＵ／シリコン又は任意の標準的なモバイルデバイスケース材料のような別の材料でポリカーボネートから形成され得るオーバーモールド２０１を含む。図１０のケースアセンブリは、レンズ装着インターフェース２０２、マウントインターフェースオーバーモールド２０３、主ＰＣＢカバー２０４、バッテリードア２０５及びバッテリー２１５、及びカメラストラップアタッチメント２０６をさらに含む。
【０１０３】
この例では、半押し／全押しの画像キャプチャシャッターボタンも示されている。ボタン機構アセンブリ２０７、戻り止めスプリング２０８及び戻り止めスプリングホルダ２０９を含む図１０の実施形態を示す。半押し／全押しシャッターボタンのさらなる例示的実施形態が、図１７Ａ−図２８に示されている。
【０１０４】
図１０は、カスタムグリッププレート２１０と、例示的なケースアセンブリの内部クッション／ライニング２１１をさらに示す。白色プラスチックＬＥＤ２１２も図１０に示されている。
【０１０５】
電気回路２１３及び２１４は、図１０に概略的に示されている。これらの回路２１３及び２１４の幾つかの例は、図１―図９を参照して、幾つかの非限定的な実施例に記載されるようなＰＣＢ１２、４２、５２、６２、７２、８８、１０２、１０８の電気回路及び／又は無線部品、レンズ・センサ接続１０、４０、５０、６１、７０、８４、９９、１０６及びレンズセンサインターフェース８、２８、３８、４８、５８、７０、８２、９９、１０３として説明した。
【０１０６】
レンズ装着インターフェース
特定の実施形態では、ケースの材料内に共成形されたカスタム設計の打ち抜き金属マイクロバヨネット・インターフェースの詳細によって、ケースとのレンズ・アタッチメント・インターフェースの一体化が提供される。他の実施形態では、接着剤又は磁性材料を用いて電話機／デバイスの背面又は内部に接着するように設計及び構成されたマウントプレートを使用して、カスタム設計された打ち抜き金属マイクロバヨネット・インターフェースがケースに接着される。
【０１０７】
図１１Ａ―図１１Ｃは、特定の実施形態によるレンズ装着インターフェース共型の例を概略的に示す。図１１Ａの例では、面取りされた縁部１１０２は、頂角からきれいに見えるように設計され、レンズを容易に取り付けるための所定の位置に導くのを助ける。凹部１１０４に成形されたものは、レンズを取り付ける際の位置合わせドットとして機能する。領域１１０６がフレックスセンサＰＣＢを覆う。詳細１１０８は、あたかもそれが場所に成形されているか、又はシェルの内側のケースと同じ曲率であるかのようにきれいに見えることを意味する。図１１Ｂの例では、表面１１１０は電話ケースの前面と同一面にある。図１１Ｃの例では、型打ちされたマウントインターフェース１１１２が少し見える。この機能１１１２は、レンズが適切に取り付けられることを保証するために明らかである。表面１１１４は、電話ケースの内側の曲率に一致し、ｉＰｈｏｎｅ ６の曲率に一致する。マウントインターフェース１１１６は、残りのマウントインターフェースの形状であり、最適な共成形設計を保証するために再設計することができ、Ａｐｐｌｅケース設計仕様に準拠する。材料はポリカーボネート（ＭＴ-１１００６）又はＴＰＵ／ＴＰＥ（ＭＴ-１１００５）でもよい。図１１Ａ−図１１Ｃの例は、完全なケースに共成形されてもよく、又は第２のアタッチメントとして、所定の位置に接着されてもよい。
【０１０８】
図１１Ｄ−図１１Ｇは、特定の実施形態による別のレンズ装着インターフェースの上面、底面、側面及び斜視図を示し、これはモバイルデバイスケースと共成形されるか、又はモバイルデバイスと堅固に据え付けられたケースとの間の安定した結合のために設計される。バヨネットインターフェース（電話機側）の上面図を概略的に示す図１Ｄの例では、バヨネットタブが電話機インターフェース側の場所に落ちる。図１Ｆの例では、バヨネットタブが９０度回転し、型押しプレートの戻り止めと干渉して、レンズを所定位置に保持し、回転を停止させる型押し境界面の最終位置に当接する。図１１Ｇの例では、マウントプレートの型押しストップ１１２０及び型押しインターフェース戻り止め１１２２が概略的に示されている。図１１Ｈ-１１Ｔは、図１１Ｄ−図１１Ｇの補助レンズ装着インターフェースと結合するように設計された補助レンズホルダーの幾つかの図を示す。図１１Ｈ-１１Ｔの例では、材料は完全に硬化した１７-４焼き鈍しステンレス鋼であってもよく、表面はつや消しブラックであってもよい。図１１Ａ-１１Ｔは、補助レンズの実施形態の例を参照して、以下でさらに詳細に説明される。
【０１０９】
マイクロバヨネットタブとレンズ装着インターフェースとの組み合わせは、補助レンズのマイクロバヨネット機能を第１の向きでレンズ装着インターフェースキャビティの平面に貫通させ、第２の向きに９０度回転されているときに次いでレンズをレンズ装着インターフェース及びモバイル機器ケースに安定に結合することを可能にする。回転は、９０度である必要はないが、タブがインターフェースキャビティと再び整列して着脱可能となる前に、ある最小値と９０度との間の或る最大値から９０度を超えた小さな角度であってもよい。レンズは、バヨネットタブがレンズ装着キャビティを貫通した状態でケース上に配置されてもよく、その後、回転してもよいし、或いは、補助レンズを安定的に結合するレンズ装着インターフェースのバヨネットタブと重なるようにモバイルデバイスのカメラモジュールの光路に沿った位置に配置される。
【０１１０】
図１２Ａ-１２Ｄは、特定の実施形態による、携帯電話又は他の埋め込み型デバイスと結合するためのケースの例を概略的に示す。図１２Ｂ及び図１２Ｄに示されたケースの開口３００は、図１０の要素２０２又は図１３Ａ−図１３Ｃ及び図１４に概略的に示されたレンズアタッチメントインターフェースの何れかのような別個のレンズアタッチメントインターフェースの安定した結合に対応するように設計されている。図１２Ａは、例えば、オーバーモールドされた材料上のスロット３０２の周りの僅かな面取りを含む、半押し／全押しシャッターボタン用の切り欠き３０２を示す。図１２Ａに概略的に示されている例示的な側面図では、ボタンアクセス１２０２がオーバーモールド材料に設計されて示され、ＬＥＤのための穴１２０４が、オーバーモールド材料の穴のまわりに僅かに面取りされて示されている。図１２Ｂに概略的に示されている背面図の例では、ケースの湾曲部１２０６がｉＰｈｏｎｅ  ６の湾曲と一致する。ＭＯＭＥＮＴワードマーク１２０８は、深さ０.２ｍｍ−０.２５ｍｍであり、キャビティ内で研磨されたものとして図１２Ｂに概略的に示されている。図１２Ａ−図１２Ｄの例では、シェル材料１２１０は白色ポリカーボネートであってもよく、オーバーモールド材料１２１２はジェットブラックＴＰＵ／シリコンであってもよい。図１２Ｃの例では、オーバーモールド材料に設計されたボタンアクセス１２１４が概略的に示されている。
【０１１１】
図１２Ｄは、図１−図９に示された例に記載されたもののような可撓ＰＣＢレンズ認識センサを覆う領域３０３についての詳細を示す。この詳細は、ケースに成型されるか又は二次的に組み立てられて所定の場所に接着されてもよい。領域３０３はまた、型押しされたマウントインターフェースを有している。図１２Ｄはまた、可撓ＰＣＢ用の位置決めポイント１２１６と、主ＰＣＢ用の位置決めポイント１２１８とを示す。ロケーティングフィーチャ１２２０も図１２Ｄに概略的に示されている。図１２Ｄはまた、シャッターボタン機構又はモバイル装置の別のボタン機構用の成形ガイド３０４の例を示す。図１７Ａ−図２８の例により示されている半押し／全押しシャッターボタンのバネ及びボタンアセンブリにおける適切な張力を容易にするために使用されるスプリングホルダのための別の成形ガイド３０６が図１２Ｄに示されている。
【０１１２】
図１３Ａ−１３Ｃは、特定の実施形態によるレンズ装着インターフェースの一例を概略的に示す。図１３Ａ―図１３Ｃのレンズ装着インターフェース３２０は、補助レンズのマイクロバヨネット構造を収容するレンズマウントキャビティ３２２と、モバイルデバイスの組み込みフラッシュが撮影されるべき物体を照明することを可能にするフラッシュキャビティ３２４とを画定するレンズ装着インターフェース３２０によって遮断される。この実施形態では、狭い領域３２６が、２つのキャビティ３２２，３２４を接続し、領域３２２，３２４及び３２６が一緒になって、円形又は楕円形の端領域の少なくとも１つに戻り止めレンズ結合特徴を有するバーベル形状を有する単一のキャビティを画定する。他の実施形態では、２つ又は３つの別個のキャビティ領域が、例えば図１１Ｄ−図１１Ｇ及び図１４に示されているような、代替のレンズ装着界面に画定されてもよい。
【０１１３】
図１３Ｂ−図１３Ｃは、厚い端部３２８及び薄い端部３３０を有するレンズ装着インターフェース３２０を示す。領域３２８及び３３０の異なる厚さ及び狭い領域３２６の存在は、補助レンズが、キャビティ３２４及び３２６の薄い端部３３０での厚い端部３２８への貫通後に、補助レンズは、モバイルデバイスのカメラモジュールの光路上の概ね中心にあるキャビティ３２２上のレンズ装着インターフェース３２０と安定的に結合する。図１３Ａ−図１３Ｃの例では、プレート３２０の厚さは３０ゲージであり、材料は完全に硬化した１７−４ステンレススチールであり、色はＰＶＤコーティングブラックであり、次いで電気化学的着色であり得る。プレート３２０は、０．２までのばり取りエッジ及び破断エッジを備え、鋭いエッジを有さないように構成することができる。
【０１１４】
図１４は、特定の実施形態による例示的なカメラ対応モバイルデバイスケース４０２及びレンズ装着インターフェース４０６の断面図を概略的に示す。この実施形態では、レンズ装着インターフェース４０６がケース４０２内のポケットに安定的に嵌合する。代替的に、インターフェース４０６は、ケース４０２に成形されてもよい。インターフェース４０６は、Ａｐｐｌｅ、サムスン、ＬＧその他のＡｎｄｒｏｉｄ製造業者によって製造されたスマートフォンのような矩形のモバイルデバイスの短辺の長さと概ね長さに一致する細長い形状を含む。
【０１１５】
インターフェース４０６は、開口４１０及び開口４１２を含む。開口４１０は、長軸が位置合わせされたときに補助レンズの僅かに小さくて細長いマイクロバヨネット構造が開口４１０を貫通し、補助レンズを９０度以上回転させた後に安定的にケース４０２に結合させるのに充分に細長い。補助レンズは、レンズ・センサ４０８（例えば、図１−図９参照）が、接続されたプリント回路基板上のプロセッサ４１０によって分析される測定を実行できるように、磁石又は電気接点又はＩＣ又は他の読み取り可能なレンズタイプの識別子を含む決定されたレンズタイプに応じて使用されるべきレンズタイプ及びカスタム画像設定、処理及び編集プロセス及び用途を決定する。
【０１１６】
図１５Ｇは、図１４の例のレンズ装着インターフェース４０６が金属板４２０を含み、取り付けられた磁石４２０がインターフェース４０６を例示的なモバイルデバイス（例えば、ｉＰｈｏｎｅ）の長端部に適所に保持し、ミニチュアカメラモジュールが配置される。
【０１１７】
図１５Ｈ−図１５Ｋは、撮像器のためのケースであって、手動装着可能であり、ブルートゥースと独自のレンズ・センサ技術を備えた新たなサーフボードを概略的に示している。図１５Ｈは、ＯＳ８上の長時間露出時間機能のために取り付け可能な三脚１２３０を概略的に示す。図１５Ｉは、レンズとケースとの間のトーク１２３２を概略的に示す。図１５Ｊは、クイックリリースコンパチブルストラップ１２３４を概略的に示す。図１５Ｋは、一体化されたレンズマウント１２３６及びカメラスタイルグリップ１２３８を概略的に示す。
【０１１８】
図１６Ａ−図１６Ｄは、特定の実施形態によるケースの主ＰＣＢカバー部分の例を概略的に示す。材料はポリカーボネートであってもよい。色はジェットブラックでもよい。仕上げはモールドテック仕上げ番号ＭＴ-１１００６でよい。
【０１１９】
特定の実施形態では、シャッター制御、フォーカス、露出、照明、電力、及び本明細書の他の場所で説明した他の事前撮影設定及び事後撮影編集制御を含む特定の機能のブルートゥース制御が提供される。加えて、特定の実施形態は、米国出願公開公報ＵＳ２０１２／０２８２９７７号に記載されている。
【０１２０】
半押し／全押しシャッターボタン
特定の実施形態による半押し／全押しシャッターボタンは、半押しのタッチスクリーン機能を含む。すなわち、シャッターボタンが半押しモードに保持されている間に、タッチスクリーン制御機能にアクセス可能であり、及び／又はバーストモード及び／又はビデオを使用可能にすることができる。半押しでは、事前撮影機能も有効になり、これは例えば照明や露出調整、フラッシュオプション、オートフォーカス、顔検出／トラッキングフォーカス、マニュアルフォーカス選択、画像サイズ、シーンモード、ＩＳＯ、ホワイトバランス、カラーエフェクト、タイマージオタギングやシャッター音のオプション、通常の高ダイナミックレンジ、パノラマ、連続ショットとポートレートのオプション、タイムキャッチショットの選択、ボイスシャッターオプションなどである。これらの機能のサブセットは、シャッターボタンが半押しモードで保持されている間は有効になることがある。図１７Ａ−図２８は、様々な機械的及び電気的特徴を含めて幾つかの例示的な半押し／全押しボタンの実施形態を示す。
【０１２１】
図１７Ａ−図２８は、事前撮影設定を調整してデジタル画像を撮像するための電気機械的インターフェースの作動を可能にするカスタム設計された機構の例示的な実施形態を概略的に示す。各実装には、１つの触覚ボタン（ボタン）で２つの異なるスイッチを作動させるカスタム設計があり、すなわち半押しのためのもの（例えば、画像のフォーカス及び露出、及び他の事前撮影設定、上記を参照）、第２の全押しのためのもの（画像撮像）である。２つのスイッチの論理機能はソフトウェアで定義されているため、フォーカス、露出、その他の事前撮影設定、画像撮像には特に関係しない。これらは、全押しと半押しと称されることがある。
【０１２２】
特定の実施形態では、型打ちされた金属バネが、ＰＣＢ上の半押し及び全押しスイッチを作動させるボタンを有するケースと共に使用される。ボタンには金属の打ち抜きの細部が付いている。この実施形態では、ボタン機構の摩擦を低減するためにＨＤＰＥ詳細が使用される。さらに、この実施形態は、型打ち金属ばね及び型打ちばねホルダを含むことができる。
【０１２３】
図１７Ａは、特定の実施形態に従った、カメラ対応モバイルデバイスケース用のシャッターボタンのための戻り止めスプリングを形成するように曲げられる前の金属部品を示す。
【０１２４】
図１７Ｂ−図１７Ｆは、特定の実施形態による、カメラ対応モバイルデバイスケースのためのシャッターボタンのための戻り止めスプリングを示す。図１７Ａ〜図１７Ｆの例では、寸法はミリメートル単位である。その材料は、厚さ０.８ｍｍのベリリウム銅合金２５であり、歪みがないようにゆっくりと完全に硬化される。
【０１２５】
図１８Ａ−図１８Ｆは、特定の実施形態によるカメラ対応モバイルデバイス用シャッターボタンのための図１７Ｂ−図１７Ｆの戻り止めスプリングとともに使用するための戻り止めスプリングホルダを示す。図１８Ａ−図１８Ｆの例では、寸法はミリメートル単位である。色、材料及び仕上げは、それぞれ黒、ポリカーボネート／デルリン、及び不均一な機械マークのない滑らかな表面であり得る。
【０１２６】
図１９Ａ−図１９Ｄは、特定の実施形態による、カメラ対応モバイルデバイスケース用のシャッターボタン機構アセンブリを概略的に示す。図１９Ａは、機構取り付けボタンとバネ１２４２と、シャッターボタン１２４４と、ボタン機構１２４６用の摩擦スライダとを含む分解斜視図を概略的に示す。機構取り付けボタン及びばね１２４２の突起は、ボタン機構１２４６用の摩擦スライダのスロットに接着されている。シャッターボタン１２４４は、機構取り付けボタン及びバネ１２４２の周囲に嵌め込まれ、所定の位置に接着される。図１９Ｃの例では、ボタン１２４４は、ライナーがボタン作動中に摩擦を減少させることを意図しているので、ライナーと同じ面にはない。図２０Ａ−図２０Ｇは、特定の実施形態による、カメラ対応モバイルデバイスの場合のシャッターボタンを概略的に示す。材料はポリカーボネートであってもよい。色はジェットブラックでもよい。仕上げは、図２０Ａ−２０Ｇに示された表面から破線まで研磨／光沢を付けてもよい。
【０１２７】
図２１Ａ−図２１Ｃは、特定の実施形態によるカメラ対応モバイルデバイスケースのシャッターボタン及びバネを取り付ける機構を概略的に示す。寸法はミリメートルである。材料はステンレス鋼であってもよい。
【０１２８】
図２２Ａ−図２２Ｃは、特定の実施形態による、カメラ対応モバイルデバイスケースのためのシャッターボタン機構用の摩擦スライダを概略的に示す。寸法はミリメートルである。材料は、架橋ポリエチレンであってもよい。色はジェットブラックでもよい。仕上げの詳細は耐摩擦ライナーとして機能することを意図している。
【０１２９】
図２３−図２８は、特定の実施形態によるカメラ対応モバイルデバイスの場合の追加の代替シャッターボタン機構の例を概略的に示す。
【０１３０】
図２３は、ボタンに組み込まれたウェーブスプリングアセンブリを含む別の半押し／全押しシャッターボタンアセンブリを概略的に示している。ボタンは半プレス及び全プレスの特徴のために２段スナップドームを作動させるポストを有する。バネを圧縮して半押しを作動させるように設計されたばね、次いでさらに押圧すると第２のスイッチに当たって全押しを作動させる。
【０１３１】
図２４は、調節された距離を圧縮し、半押しのためにスナップドームを作動させるバネを含む別の半押し／全押しシャッターボタン組立体を概略的に示しており、ボタンの底の導電性ゴムは調節された距離を圧縮し、全押しを作動させる。
【０１３２】
図２５は、調節された距離を圧縮し、半押しのためにスナップドームを作動させるばねと、半押しが作動されるときに圧縮して第１ばねの確実性を保証する第２ばねを含む別の半押し／全押しシャッターボタン組立体を概略的に示す。圧縮しない場合、第２のばねは完全なプレス機能を作動させる。
【０１３３】
図２６は、別の半押し／全押しシャッターボタンアセンブリを概略的に示しており、これはボタンを含み、このボタンはエラストマードームスイッチを圧縮して僅かに潰して回路を閉止して半押し機能を作動させ、次に別の短い距離を移動するとスナップドームを押して全押し機能を作動させる。
【０１３４】
図２７は、設計が線形であることを除いて、図２６の先述の例と同様の考え方を含む別の半押し／全押しシャッターボタンアセンブリを概略的に示す。ボタンを軽く押すと、エラストマードームスイッチが回路を閉じ、導電接点で折り畳まれて半押し機能を発揮し、スナップドームを押し下げて全押し機能が作動する。
【０１３５】
図２８は半押し機能へ押し下げるのに必要な力を制御するために、補助スプリングを備えた特注の２段折り畳みエラストマードームスイッチを含む別の半押し／全押しシャッターボタンアセンブリを概略的に示す図である。導電性エラストマーで最初に崩壊すると、回路を押し下げて半押し機能を作動させ、ボタンを少し押し込むと、第２の導電性エラストマー接点で第２の崩壊が生じて回路を閉じて全押し機能を作動させる。
【０１３６】
携帯写真用スマートケースシステム
ケース、補助レンズ及びソフトウェアアプリケーションを含むモバイル写真用のスマートケースシステムがここに提供される。このケースは、レンズ認識エレクトロニクス、半押し／全押しシャッターボタン機能、補助レンズをデバイスのオンボードカメラモジュールへ正確に位置合わせさせる機械的特徴を使用して補助レンズをモバイルデバイスへ機械的に安定に機械的に結合させるレンズ装着インターフェースを含めて本明細書の他の箇所に記載された特徴を含むことができる。さらに、着用可能なストラップ及び三脚取り付けのための特定の実施形態では、取り付け位置が提供される。
【０１３７】
認識可能な補助レンズアタッチメントもここに提供される。補助レンズアタッチメントは、様々な方法で向上された写真撮影を与えるために使用される複数のレンズアタッチメントから選択することができる。例えば、１つの補助レンズアタッチメントは、広い視野を与えることができ、別の補助レンズアタッチメントは、モバイルデバイスのオンボードカメラモジュールが与えることができるよりも遠く又は近い焦点面を与えることができる。固定鏡筒内又は固定鏡筒に結合された１つ又は複数の可動光学系（例えば、ピエゾ、ＭＥＭＳ、又はＶＣＭを使用する）を含むズーム機能又はオートフォーカス又はマニュアルフォーカス機能を含む補助レンズアタッチメントを設けることができる。補助レンズアタッチメントは、単一のレンズ又は２つ以上のレンズのスタックを含むことができる。
【０１３８】
モバイルデバイスのケースによって認識可能な特定の実施形態では、補助レンズアタッチメントが提供される。補助レンズ及びモバイルデバイスのケースは、カスタム又は標準化された相補的なレンズ認識機能を備えて構成されている。幾つかの実施形態は、本明細書の他の場所の実施例で例示されている。
【０１３９】
ここではソフトウェアアプリケーションも与えられ、これはモバイルデバイスケース内に組み込まれたＰＣＢ上のプロセッサを制御し、機械的、電気的及び／又は無線で補助レンズアタッチメントと結合して、処理すべき信号を提供するレンズ装着インターフェースからデータを受信する。このデータに基づいて、補助レンズ特有のユーザー選択可能な機能を使用して、モバイル写真の経験を向上させることができる。さらに、補助レンズタイプに依存する特定の自動設定は、特定のレンズ事前撮影設定又は撮像後編集によって撮像された画像を向上させる特定の実施形態で実行される。
【０１４０】
図２９−図３３は、特定の実施形態によるカメラ対応モバイルデバイスケースの構成要素によって集められたプログラミング及びデータに基づいて生成されたグラフィックスのスクリーンショットを示す。例えば、図２９は広角レンズ認識を示し、図３０−３１はタッチスクリーンの照明と露出調整を示し、図１０及び図１７Ａ−図２８に示す例によって示されるシャッターボタンは図３２のように半押しされる。図３３は特定の実施形態による画像撮像のための完押しシャッターボタンを示す。特定の遠隔制御機能が含まれてもよく、これは例えばＷＯ２０１２０９６４３３号に記載されており、これは参照により本明細書に組み込まれている。
【０１４１】
携帯写真のための補助レンズ
従来のモバイルフォトレンズは、通常の使用のために通常の画質を提供する。有益な補助レンズは、携帯写真撮影の経験を向上させるために本明細書に例として記載される様々な実施形態に従って取り付けられ得る。特定の実施形態において、補助レンズはスマートレンズ機能を含む。
【０１４２】
再び図１に概略的に示される例を参照すると、ブルートゥースモジュールがレンズ２２の内部に組み込まれてもよい。図１に概略的に示される主ＰＣＢは、ブルートゥーススマートラジオ１８を含む。ブルートゥースモジュールを備えたレンズ２２は、有益には、例えば、モバイル写真体験を向上させる関連する技術データを提供するために、ケース２に無線で話すことができるスマートレンズとして構成される。ブルートゥースモジュールを備えたレンズ２２は、モバイルデバイス及び／又は外部デバイスに無線で通話するように構成することもできる。
【０１４３】
特定の実施形態では、補助レンズ２２はマイクロバヨネットマウントを含むことができる。マイクロバヨネットマウントは、レンズ２２の光路に概ね垂直な平面内に延在する薄い要素を含むことができる。マイクロバヨネットマウントの形状は、ケース２に結合されるか、又はケース２と一体化されるレンズ装着インターフェース６に画定されるキャビティの形状に従って選択され得る。特定の実施形態によるレンズ装着インターフェースの例が、要素２０２として、図１０に、及び図１１Ａ−図１１Ｇ、図１３Ａ−図１３Ｃ、並びに図１４に示されている。
【０１４４】
レンズ装着インターフェースに画定されるキャビティの形状は、補助レンズのマイクロバヨネット要素を可能にする任意の規則的又は不規則な多角形又は湾曲縁と直線縁の組み合わせを含むことができ（例えば、図８、要素９６及び９８、及び図９、要素１１０及び１１２、並びに図１１Ｈ-１１Ｔ参照）、レンズ装着インターフェース６に画定されたキャビティの平面を貫通し、次いで、レンズ２２の貫通されたマイクロバヨネット要素の回転又は並進移動の際に、レンズ２２をレンズ装着インターフェース６に安定的に結合する。
【０１４５】
別の例では、マイクロバヨネット要素は、楕円形又は長方形の形状を有することができる。対応するレンズ装着インターフェースキャビティは、わずかに大きな楕円形又は長方形の形状を有することができる。これらの２つの特徴のサイズ及び形状は、楕円形又は矩形が位置合わせされたときにマイクロバヨネットがキャビティを貫通して穿孔することができ、楕円形又は矩形が相対的に回転するときにマイクロバヨネットがキャビティの面を横切ることができない或る最小角度と９０度との間の範囲内の角度量である。一般に、形状は、「ｘ」形状を含む様々なものとすることができ、取り付けを固定するために４５度の回転が最適となる。
【０１４６】
図８及び図９のマイクロバヨネット９６，９８及び１１０，１１２はそれぞれ、その中心に円形の形状をオーバーラップさせる矩形を含み、長方形の長い辺は円の直径より大きく、長方形は円の直径よりも小さい。図８及び図９のマイクロバヨネット９６，９８及び１１０，１１２は、光が光路に沿って画像センサに向かって移動することを可能にする開口として機能する円形領域内に、中空又は反射防止コーティングを有する透明である。モバイルデバイス。したがって、補助レンズは、カメラの光学経路を収容する中空又は透明な中心から突出する様々な長方形の形状のタブを有するマイクロバヨネットの特徴を有することができる。
【０１４７】
図１０及び図１１Ａ−図１１Ｃに示される幾つかの実施形態では、レンズ装着インターフェースは、薄い中間領域によって接続された一対の円形領域を含むバーベル形状を有する。レンズ装着インターフェース６の円形領域の１つは、マイクロバヨネットの実施形態に従ってレンズ２２と結合するために、また、補助レンズを介して撮像対象から絞り、カメラモジュールの内蔵レンズ、そして最終的にはイメージセンサに至る光学経路に沿って移動する光を収容するための開口としての役割を果たす。レンズ装着インターフェース６に定義された他の円形領域、又はマウントプレートは、ｉＰｈｏｎｅ、Ａｎｄｒｏｉｄ、サムスン又は他のカメラ対応スマートフォンデバイスの背面に設けられたマイクロフォン及び／又はフラッシュのための部屋を提供すると称することもできる。
【０１４８】
図１１Ｄ−図１１Ｇは、レンズ装着インターフェース６又はマウントプレート、例えばマイクロバヨネットマウントの別の例示的な実施形態を概略的に示し、これはレンズケース２に組み込まれ、補助レンズ２２のケース２への確実な装着を与え、ケース２自体はモバイルカメラ対応デバイスの周りに安定的に結合されている。図１１Ｄは、携帯電話ケースと一体的であるか、又は安定的に取り付け可能なレンズ装着インターフェース２２０を概略的に示す。図１１Ｄのレンズ装着インターフェース２２０又はマウントプレート２２０は、第１のキャビティ２２２及び第２のキャビティ２２４を画定する。第１のキャビティ２２２は、マイクロバヨネット構成（図８及び図９参照）を有する補助レンズ２２と、カメラモジュールの妨げられない光路の両方の結合を収容する。第２のキャビティ２２４は、モバイルデバイスに組み込み得るフラッシュ及び／又はマイクロフォンを収容する。
【０１４９】
第１及び第２のキャビティ２２２，２２４は、イメージセンサ及びフラッシュ／マイクロフォン構成がモバイルデバイス上に置かれる場所に応じて、その形状及び位置を調整することができる。例えば、図１０，１１Ａ−１１Ｇ及び図１２Ａ−１２Ｄに本明細書で提供される実施形態は、とりわけ、ｉＰｈｏｎｅの特徴に合致する特徴を示す。しかし、通常はＬＧのＡｎｄｒｏｉｄ搭載端末はイメージセンサとフラッシュを端末の中央に、マイクはデバイスの底部近傍に配置している。一方、サムスンのデバイスはイメージセンサとフラッシュを概ね中央に配置している。画像センサ及びフラッシュがどこに配置されているかにかかわらず、説明された実施形態の特徴は、機能性ケース、補助レンズ及びレンズ装着インターフェース結合特徴部、半押し／全押しシャッターボタンの一般的な特性及び利点を大きく変えることなく、特定の装置のカメラモジュールの位置、大きさ及び形状に適応するケースが結合されるモバイルデバイスに応じた位置、サイズ及び形状、及び本明細書に記載の実施形態に記載された機能的ソフトウェアアプリケーションを含む。
【０１５０】
マクロ補助レンズは、焦点を近接させた高解像度モバイル写真を可能にする１０ｘ−２０ｘマクロレンズを含むことができる。他の補助レンズは、超広角補助レンズ、魚眼レンズ補助レンズ、ズーム補助レンズ及び／又はＵＳ２０１４／００７１５４７号（これは参照により全体が本明細書に組み込まれている）に説明されたレンズを含むことができる。
【０１５１】
図１１Ｈ-１１Ｔは、或る実施形態による補助レンズホルダーの例を概略的に示し、これは図１１Ａ−図１１Ｇを参照して説明したバヨネット・レンダリング・アタッチメント・インターフェースでの結合に特に適している。
【０１５２】
携帯写真用スマートケースの機能的特徴
特定の実施形態によるスマートは、幾つかの機能的特徴を含む。例えば、１つ以上の白色ＬＥＤ又はスマートケース内に組み込まれた他の光源によって、照明される性能を提供して、対象物又は撮像されるシーンを照明することができる。シンプルなモバイルフラッシュを超えてモバイル写真のための最適な照明形状を作成する能力は、特定の実施形態によるスマートケースの有益な特徴である。
【０１５３】
補助レンズ及び／又は他の光、電気、無線通信及び機械的特徴の取り付けは多くの利点を提供する。例えば、ケースは、ディスプレイデバイス、遠隔制御デバイス及び他のプロセッサベースのデバイスを含む様々な第三者アクセサリと通信するように結合することができるブルートゥース無線機を含むことができる。スマートケースのデザインは、モバイル写真の体験を向上させる追加アクセサリの取り付けを可能にする。
【０１５４】
安定化も提供される。本明細書で説明される実施形態は、本明細書の幾つかの例を参照して説明されるような有利なケース及びレンズ装着インターフェースを使用してモバイルデバイスに安定的に取り付けられ得る、特にマクロ及び極端な望遠レンズのための画像安定化を提供するスマートケースを詳述する。
【０１５５】
特定の実施形態では、追加の電力も提供される。図３４Ａ−図３４Ｅは、特定の実施形態による、カメラ対応モバイルデバイスケース用のバッテリードアを概略的に示す。図４１は、コイン型電池を示す。図３４Ａ−図３４Ｅの例では、寸法はミリメートル単位である。材料はＴＰＵ／ＴＰＥショア６０-７５Ａであり、硬度によりリビングヒンジが作動し、バッテリーを適所に保持することができる。色はジェットブラックであり、仕上げはモールドテック仕上げでも番号１１００５でもよい。図３４Ａ−図３４Ｅの例は、電池を電池の接触から押さえるのに役立つ厚さ０．５−１．０ｍｍの発泡体層を含む。ケース内に設置されたバッテリーによって供給される追加の電力は、例えば、モバイルデバイスにバッテリー電力が不足している場合、又は、幾つかの実施形態では、モバイルデバイス自体に電力を供給するために、バッテリー残量がないときに使用される。特定の実施形態では、ケースのＰＣＢを含む構成要素として追加のメモリも提供される。
【０１５６】
カスタマイズ可能なカメラグリップは、特定の実施形態に従って、スマートケースに直接成形することができる。例えば、特定の実施形態によるスマートケースは、グリップ表面プレート材料を多くのカスタムオプションに変更することを可能にする。これは、片手での撮影を可能にし、片手で握ることにより画像捕捉のための選択可能な距離及び角度の柔軟性を提供する場合の「自撮り」を撮像することを含む多くの画像捕捉目的のための人間工学的に有利な特徴であり、２人以上の写真に特に適しており、一方の腕を他の人の周りにおくか、単純に他の人に接近し、伸ばしていない腕が親密さを阻害することのないようにしたい人に特に利点である。
【０１５７】
図３６Ａ−図３６Ｄは、特定の実施形態によるカメラ対応モバイルデバイスケースのカスタムグリップケースを概略的に示す。寸法はミリメートルである。交換可能なカスタムグリッププレートの材料は、皮革、コルク、キャンバス、金属、木材、プラスチック又はゴムを含むことができる。
【０１５８】
図３７Ａ−図３７Ｃは、特定の実施形態による、カメラ対応モバイルデバイスケースの内部クッション／ライニングを概略的に示す。寸法はミリメートル単位であり、内側ライニングの材料はマイクロファイバー材料、コルク、フェルト又は他の布／繊維を含むことができる。
【０１５９】
図３８Ａ−図３８Ｇは、特定の実施形態に従ってレンズと結合するように構成されたカメラ対応モバイルデバイスケースを概略的に示す。様々な人間工学的な代替例が示されており、補助レンズ装着のための凹部、自撮りに好ましい片手写真撮影に特に有利な把持機能が挙げられる。図３８Ａ−図３８Ｇの例では、カメラ側に構成要素１２５２が積み重ねられ、他方の側がグリップ１２５４と平衡するケースが概略的に示されている。レンズ１２５８のための凹部１２５６が、図３８Ｅに概略的に示されており、これにより、より良好な一体化が可能になる。グリップテクスチャ１２６０も概略的に図示されている。
【０１６０】
図３９Ａ−図３９Ｃは、特定の実施形態によるレンズと結合するように構成されたカメラ対応モバイルデバイスケースを概略的に示す。図３９Ａ−図３９Ｃの例は、ケースバッテリボードの斜視図、正面図及び側面図、及びそれぞれの質量構成を概略的に示す。図３８Ａは、バッテリー１２６２及び有効質量１２６３、並びにセンサーコイル１２６４及びカメラ及びマウントアセンブリ１２６６の位置を概略的に示す。特定の実施形態では、バッテリー及びおそらくは１つ又は複数の他の重い構成要素などの構成要素が、スマートケースのグリップ端部に配置され、おそらく片手での撮影のための取り扱いが容易である。この特徴は、例えば、セルフタイマーをとるときに、片手のカメラグリップが重力に抗してカメラを安定させるために対抗しなければならないトルクを低減することによって取り扱いを容易にする。グリップ端部ではなくカメラモジュール端部にケース部品を取り付けると、トルクの差が非常に大きくなる可能性がある。グリップが、ケースのまさに反対側の端部に配置された重い構成要素よりもカメラモジュール及び装着された補助レンズに実際に近接しているならば、モーメントアームがゼロ又はゼロの近傍又は負にさえ低減されるので、グリップ端部に取り付けられた部品は、実質的にトルクを及ぼさない可能性がある。このケース内の構成要素の重量と、装着された補助レンズ及びレンズ装着インターフェースの重量との釣り合いは、向上した片手での撮影経験を提供することができる。
【０１６１】
カメラストラップアタッチメント
図１５Ｉ及び図３５Ａ−図３５Ｅは、特定の実施形態によるカメラ対応モバイルデバイス用のカメラストラップアタッチメントを概略的に示す。図３５Ａ−図３５Ｅの例では、寸法はミリメートル単位であり、材料はアルミニウム６０６１であってもよい。色及び仕上げには、艶消し黒色の陽極酸化、艶消しの銀の陽極酸化、磨かれた黒色の陽極酸化及び／又は磨かれた銀の陽極酸化が含まれ得る。図面上に描かれたときはシャープなエッジが破断されて機械加工された面取りである。スマートケースへの二重取り付けは、従来のカメラストラップの使用を可能にする。これは、最終組立時にケースに接着された金属又は硬質のプラスチックストラップアタッチメントを使用するか、代替としてケースに共成型された金属又は硬質プラスチックストラップアタッチメントを使用して達成することができるか、或いは米国特許出願公開第２００６／０１２４６７６号（これは参照により本明細書に組み込まれている）に記載されているようにすることができる。
【０１６２】
レンズキャップ
カスタムレンズキャップは、幾つかのタイプ、形状、サイズの補助レンズで動作する。特定の実施形態では、レンズキャップが金属レンズホルダー材料に貼り付くように磁石が組み込まれている。例えば金属又は磁石のような磁性材料をケース内に組み込んだり成型したりすることにより、レンズキャップをレンズの覆いに使用しないとき、例えば補助レンズを用いて画像を撮影しているときに、取り外されたレンズキャップを置くことが可能である。
【０１６３】
図１５Ａ−図１５Ｋは、特定の実施形態による特定のモバイルデバイスのケース及び追加のケース特徴及びアクセサリを概略的に示す。三脚アタッチメントが図示されており、三脚アタッチメントが着脱自在であり、モバイルデバイスケースを１／４-２０ねじ込みインサートの標準三脚に使用することができる。マグネットは、三脚取付具をケース内に組み込まれた金属に磁気的に取り付けると共に位置合わせさせる特定の実施形態では、三脚取付具に組み込まれる。特定の実施形態では、ケースの縁部の上に干渉インターフェースを形成して、ケースを適所にしっかりと保持するプレスフィットアタッチメントを使用することができる。
【０１６４】
画像調節のための容量式タッチスライダ
図４０−図４２は、特定の実施形態によるカメラ対応携帯電話デバイスケースの容量性タッチスライダを概略的に示す。これらの図は、容量式タッチスライダの機能に関する。図４０−図４２で回転して示されているボードは、レンズがあるところから電話の反対側の端にある。この特徴は、特に２人以上の人がシーンに含まれているときに、自撮りが撮影されているときなど、事前撮影設定を調整して画像を撮像するために片手を使用している画像撮影者にとって特に有利である。
【０１６５】
特定の実施形態においては埋め込み型ファームウェア及びアプリケーションソフトウェアを介して、画像露出、コントラスト、絞り、ＩＳＯ、シャッター速度、焦点及び／又は画像キャプチャを制御することを可能にする人間工学的なカメラグリップ上の容量性タッチスライダーが提供される。トルクを低減するための人間工学的なカメラグリップと釣り合いの採れた構成要素との組み合わせ及び容量性タッチスライダ機能は、事前撮影設定の調整を容易にしつつ、補助レンズ装着の有無にかかわらず、特に自撮り又は頭越しの画像、さもなければカメラで両手で撮影するのが困難な画像について、モバイルデバイスを写真を撮影する位置に釣り合わせる。
【０１６６】
特定の実施形態による容量性スライダは、電話機の金属及びアンテナの容量性、無線周波数及び磁界効果を排除するように設計されている。静電容量スライダは、片手と指での使用を容易にするために、人間工学的角度で特定の実施形態に従って取り付けられる。一例では、容量性スライダは、表面に沿って指をスライドさせてソフトウェア画定機能のメニューから変更又は選択することによって操作され、同じ指で表面をタップすることによって選択されたソフトウェア画定機能を作動させ、及び／又は表面をダブルタップすることにより、ソフトウェアによって画定された機能を作動させることができる。単一のタップは、上述したシャッターボタンの半押しと同様の役割を果たしてもよく、すなわち、撮影前に事前撮影設定を調整する一方、ダブルタップはシャッターの全押しと同様の役割を果たす画像を撮影するためのボタンである。
【０１６７】
本発明の例示的な図面及び特定の実施形態を説明し図示してきたが、本発明の範囲は説明した特定の実施形態に限定されないことを理解されたい。したがって、実施形態は、限定的ではなく例示的なものとみなされるべきであり、本発明の範囲から逸脱することなく、当業者によってこれらの実施形態に変形をなし得ることを理解されたい。
【０１６８】
加えて、本明細書の好ましい実施形態に従って実行され、上述で説明された方法において、操作は、選択された印刷シーケンスで説明された。しかしながら、シーケンスは、活字の便宜のために選択され、順序付けられているので、特定の順序が明示的に示される場合を除いて、又は当業者が考える場合を除いて、操作を実行するための特定の順序を暗示したり、当業者が特定の順序が必要と考えたりすることを意図するものではない。
【０１６９】
上述の明細書中で結合詞「及び」と結びつけられた項目のグループは、そのグループのすべての実施形態に従ってグループに存在することを必要とするものとして読まれるべきではない。これらの要素の多くは１つ以上の他の要素で置き換えられている。さらに、本発明の項目、要素又は構成要素は、単数形で記載又は請求することができるが、単数形への限定が、当業者によって必要に応じて明示的に又は明確に理解されない限り、その範囲内であることが意図される。
【０１７０】
「１つ以上」、「少なくとも」、「ただしこれに限定されない」などの広範な言葉及び句の存在は、場合によっては狭い場合が意図され又は要求されることを意味するように読まれてはならないそのような広範なフレーズは存在しなくてもよい。「システム」又は「アセンブリ」という用語の使用は、アセンブリの一部として記述又は主張されているコンポーネント又は機能がすべて共通のパッケージに構成されていることを意味するものではない。実際に、システムの様々な構成要素のいずれか又はすべて、例えばケース及びレンズ装着インターフェースは、単一のパッケージに組み合わされてもよく、又は別々に維持されてもよい。
【０１７１】
さらに、本明細書の上記及び下記の全ての参照文献、並びに背景、発明の要約、図面の要約及び簡単な説明は、代替実施形態を開示する好ましい実施形態の詳細な説明に参照として組み込まれる。ポイントアクションカメラの幾つかの実施形態が本明細書で説明され、例示的な物理的、電子的及び光学的アーキテクチャによって概略的に示されている。他のポイントアクションカメラの実施形態及び代替実施形態に含まれ得るポイントアクションカメラの機能及び構成要素の実施形態は、以下の１つ又は組み合わせに記載されている。すなわち、米国特許番号７，６１２,９９７号、８，２４４，２９９号、８,５９３,７４５号、８,８４３,１７７号、米国特許出願公開第２００６／０１２４６７６号、２０１２／０２８２９７７号、２０１４／００７１５４７号、２０１４／０２２６２６８号、２０１４／００７１５４７号、２０１３／００６３５５４号、２０１０／０２５３８２６号、２００９／０２９９８１３号、２００２／００００６８９号、２００１／０１２１１１６号、２００９／００８９８４２号、２００８／０２７６２９３号、２００８／０２７１１０５号、２００８／０２７１１０４号、２００８／０１７２７０８号及び／又は欧州特許ＥＰ２６１３４４８号である。
【図１】
0006633089.tif 000002
【図２Ａ】
0006633089.tif 000003
【図２Ｂ】
0006633089.tif 000004
【図２Ｃ】
0006633089.tif 000005
【図３Ａ】
0006633089.tif 000006
【図３Ｂ】
0006633089.tif 000007
【図４】
0006633089.tif 000008
【図５Ａ】
0006633089.tif 000009
【図５Ｂ】
0006633089.tif 000010
【図６】
0006633089.tif 000011
【図７】
0006633089.tif 000012
【図８】
0006633089.tif 000013
【図９】
0006633089.tif 000014
【図１０】
0006633089.tif 000015
【図１１Ａ】
0006633089.tif 000016
【図１１Ｂ】
0006633089.tif 000017
【図１１Ｃ】
0006633089.tif 000018
【図１１Ｄ】
0006633089.tif 000019
【図１１Ｅ】
0006633089.tif 000020
【図１１Ｆ】
0006633089.tif 000021
【図１１Ｇ】
0006633089.tif 000022
【図１１Ｈ】
0006633089.tif 000023
【図１１Ｉ】
0006633089.tif 000024
【図１１Ｊ】
0006633089.tif 000025
【図１１Ｋ】
0006633089.tif 000026
【図１１Ｌ】
0006633089.tif 000027
【図１１Ｍ】
0006633089.tif 000028
【図１１Ｎ】
0006633089.tif 000029
【図１１Ｏ】
0006633089.tif 000030
【図１１Ｐ】
0006633089.tif 000031
【図１１Ｑ】
0006633089.tif 000032
【図１１Ｒ】
0006633089.tif 000033
【図１１Ｓ】
0006633089.tif 000034
【図１１Ｔ】
0006633089.tif 000035
【図１２Ａ】
0006633089.tif 000036
【図１２Ｂ】
0006633089.tif 000037
【図１２Ｃ】
0006633089.tif 000038
【図１２Ｄ】
0006633089.tif 000039
【図１３Ａ】
0006633089.tif 000040
【図１３Ｂ】
0006633089.tif 000041
【図１３Ｃ】
0006633089.tif 000042
【図１４】
0006633089.tif 000043
【図１５Ａ】
0006633089.tif 000044
【図１５Ｂ】
0006633089.tif 000045
【図１５Ｃ】
0006633089.tif 000046
【図１５Ｄ】
0006633089.tif 000047
【図１５Ｅ】
0006633089.tif 000048
【図１５Ｆ】
0006633089.tif 000049
【図１５Ｇ】
0006633089.tif 000050
【図１５Ｈ】
0006633089.tif 000051
【図１５Ｉ】
0006633089.tif 000052
【図１５Ｊ】
0006633089.tif 000053
【図１５Ｋ】
0006633089.tif 000054
【図１６Ａ】
0006633089.tif 000055
【図１６Ｂ】
0006633089.tif 000056
【図１６Ｃ】
0006633089.tif 000057
【図１６Ｄ】
0006633089.tif 000058
【図１７Ａ】
0006633089.tif 000059
【図１７Ｂ】
0006633089.tif 000060
【図１７Ｃ】
0006633089.tif 000061
【図１７Ｄ】
0006633089.tif 000062
【図１７Ｅ】
0006633089.tif 000063
【図１７Ｆ】
0006633089.tif 000064
【図１８Ａ】
0006633089.tif 000065
【図１８Ｂ】
0006633089.tif 000066
【図１８Ｃ】
0006633089.tif 000067
【図１８Ｄ】
0006633089.tif 000068
【図１８Ｅ】
0006633089.tif 000069
【図１８Ｆ】
0006633089.tif 000070
【図１９Ａ】
0006633089.tif 000071
【図１９Ｂ】
0006633089.tif 000072
【図１９Ｃ】
0006633089.tif 000073
【図１９Ｄ】
0006633089.tif 000074
【図２０Ａ】
0006633089.tif 000075
【図２０Ｂ】
0006633089.tif 000076
【図２０Ｃ】
0006633089.tif 000077
【図２０Ｄ】
0006633089.tif 000078
【図２０Ｅ】
0006633089.tif 000079
【図２０Ｆ】
0006633089.tif 000080
【図２０Ｇ】
0006633089.tif 000081
【図２１Ａ】
0006633089.tif 000082
【図２１Ｂ】
0006633089.tif 000083
【図２１Ｃ】
0006633089.tif 000084
【図２２Ａ】
0006633089.tif 000085
【図２２Ｂ】
0006633089.tif 000086
【図２２Ｃ】
0006633089.tif 000087
【図２３】
0006633089.tif 000088
【図２４】
0006633089.tif 000089
【図２５】
0006633089.tif 000090
【図２６】
0006633089.tif 000091
【図２７】
0006633089.tif 000092
【図２８】
0006633089.tif 000093
【図２９】
0006633089.tif 000094
【図３０】
0006633089.tif 000095
【図３１】
0006633089.tif 000096
【図３２】
0006633089.tif 000097
【図３３】
0006633089.tif 000098
【図３４Ａ】
0006633089.tif 000099
【図３４Ｂ】
0006633089.tif 000100
【図３４Ｃ】
0006633089.tif 000101
【図３４Ｄ】
0006633089.tif 000102
【図３４Ｅ】
0006633089.tif 000103
【図３５Ａ】
0006633089.tif 000104
【図３５Ｂ】
0006633089.tif 000105
【図３５Ｃ】
0006633089.tif 000106
【図３５Ｄ】
0006633089.tif 000107
【図３５Ｅ】
0006633089.tif 000108
【図３６Ａ】
0006633089.tif 000109
【図３６Ｂ】
0006633089.tif 000110
【図３６Ｃ】
0006633089.tif 000111
【図３６Ｄ】
0006633089.tif 000112
【図３７Ａ】
0006633089.tif 000113
【図３７Ｂ】
0006633089.tif 000114
【図３７Ｃ】
0006633089.tif 000115
【図３８Ａ】
0006633089.tif 000116
【図３８Ｂ】
0006633089.tif 000117
【図３８Ｃ】
0006633089.tif 000118
【図３８Ｄ】
0006633089.tif 000119
【図３８Ｅ】
0006633089.tif 000120
【図３８Ｆ】
0006633089.tif 000121
【図３８Ｇ】
0006633089.tif 000122
【図３９Ａ】
0006633089.tif 000123
【図３９Ｂ】
0006633089.tif 000124
【図３９Ｃ】
0006633089.tif 000125
【図４０】
0006633089.tif 000126
【図４１】
0006633089.tif 000127
【図４２】
0006633089.tif 000128